(57)【特許請求の範囲】
【請求項１】
データ伝送方法であって、
ユーザ機器（ＵＥ）が、無線アクセス装置から、複製操作のために設定された少なくとも１つのデータ無線ベアラ（ＤＲＢ）の設定情報を受信する段階と、
前記ＵＥが、前記無線アクセス装置から、第１インジケーション情報およびＤＲＢの識別子を受信する段階であって、前記第１インジケーション情報は、前記ＵＥに、複製操作を実行することを示し、または、前記ＵＥに、前記複製操作を停止することを示し、前記複製操作は、複数のリンクを通して同一のパケットデータコンバーゼンスプロトコル（ＰＤＣＰ）プロトコルデータユニット（ＰＤＵ）を伝送することを含み、前記第１インジケーション情報および前記ＤＲＢの前記識別子は、同一の媒体アクセス制御（ＭＡＣ）制御要素（ＣＥ）において保持され、前記ＤＲＢは、前記複製操作のために設定された前記少なくとも１つのＤＲＢに属する、段階と、
前記第１インジケーション情報が前記ＵＥに前記複製操作を実行することを示すとき、前記ＵＥが前記ＤＲＢに対する前記複製操作を実行する、または、
前記第１インジケーション情報が前記ＵＥに前記複製操作を停止することを示すとき、前記ＵＥが前記ＤＲＢに対する前記複製操作を停止する段階と
を備える方法。
【請求項２】
前記無線アクセス装置は、デュアルコネクティビティ（ＤＣ）シナリオまたはマルチコネクティビティ（ＭＣ）シナリオにおけるマスタ無線装置であり、前記複数のリンクは、前記ＵＥと前記マスタ無線装置との間のリンク、および、前記ＵＥと少なくとも１つの二次無線アクセス装置との間の少なくとも１つのリンクを含む、請求項１に記載の方法。
【請求項３】
前記複数のリンクは、キャリアアグリゲーション（ＣＡ）シナリオにおける前記ＵＥと前記無線アクセス装置との間にある、請求項１に記載の方法。
【請求項４】
前記ＵＥが、前記ＵＥの能力情報を前記無線アクセス装置へ送信する段階であって、前記能力情報は、前記ＵＥが前記複製操作をサポートすることを示す、段階を更に備える、請求項１から３のいずれか一項に記載の方法。
【請求項５】
データ伝送方法であって、
無線アクセス装置が、ユーザ機器（ＵＥ）のために、複製操作のための少なくとも１つのデータ無線ベアラ（ＤＲＢ）を設定する段階と、
前記無線アクセス装置が第１インジケーション情報を生成する段階であって、前記第１インジケーション情報は、前記ＵＥに、前記複製操作を実行することを示し、または、前記ＵＥに、前記複製操作を停止することを示し、前記複製操作は、複数のリンクを通して、同一のパケットデータコンバーゼンスプロトコル（ＰＤＣＰ）プロトコルデータユニット（ＰＤＵ）を伝送することを含む、段階と、
前記無線アクセス装置が、前記ＵＥに、前記第１インジケーション情報およびＤＲＢの識別子を送信する段階であって、前記第１インジケーション情報および前記ＤＲＢの前記識別子は、同一の媒体アクセス制御（ＭＡＣ）制御要素（ＣＥ）において保持され、前記ＤＲＢは、前記複製操作のために設定された前記少なくとも１つのＤＲＢに属する、段階と
を備える方法。
【請求項６】
前記無線アクセス装置は、デュアルコネクティビティ（ＤＣ）シナリオまたはマルチコネクティビティ（ＭＣ）シナリオにおけるマスタ無線装置であり、前記複数のリンクは、前記ＵＥと、前記マスタ無線装置との間のリンク、および、前記ＵＥと、少なくとも１つの二次無線アクセス装置との間の少なくとも１つのリンクを含む、請求項５に記載の方法。
【請求項７】
前記無線アクセス装置はキャリアアグリゲーション（ＣＡ）シナリオにおけるものであり、前記複数のリンクは、前記ＵＥと前記無線アクセス装置との間にある、請求項５に記載の方法。
【請求項８】
前記方法は、
前記無線アクセス装置が、前記ＵＥによって送信された能力情報を受信する段階であって、前記能力情報は、前記ＵＥが前記複製操作をサポートすることを示す、段階を更に備える、
請求項５から７のいずれか一項に記載の方法。
【請求項９】
機器であって、
無線アクセス装置から、複製操作のために設定された少なくとも１つのデータ無線ベアラ（ＤＲＢ）の設定情報を受信するための手段と、
前記無線アクセス装置から、第１インジケーション情報およびＤＲＢの識別子を受信するための手段であって、前記第１インジケーション情報は、前記機器に、前記複製操作を実行することを示し、または、前記機器に、前記複製操作を停止することを示し、前記複製操作は、複数のリンクを通して、同一のパケットデータコンバーゼンスプロトコル（ＰＤＣＰ）プロトコルデータユニット（ＰＤＵ）を伝送することを含み、前記第１インジケーション情報および前記ＤＲＢの前記識別子は、同一の媒体アクセス制御（ＭＡＣ）制御要素（ＣＥ）において保持され、前記ＤＲＢは、前記複製操作のために設定された前記少なくとも１つのＤＲＢに属する、手段と、
前記第１インジケーション情報が前記機器に前記複製操作を実行することを示すとき、前記ＤＲＢに対する前記複製操作を実行するための手段、または、前記第１インジケーション情報が前記機器に前記複製操作を停止することを示すとき、前記ＤＲＢに対する前記複製操作を停止するための手段と
を備える機器。
【請求項１０】
前記無線アクセス装置は、デュアルコネクティビティ（ＤＣ）シナリオまたはマルチコネクティビティ（ＭＣ）シナリオにおけるマスタ無線装置であり、前記複数のリンクは、前記機器と前記マスタ無線装置との間のリンク、および、前記機器と少なくとも１つの二次無線アクセス装置との間の少なくとも１つのリンクを含む、請求項９に記載の機器。
【請求項１１】
前記複数のリンクは、キャリアアグリゲーション（ＣＡ）シナリオにおける前記機器と前記無線アクセス装置との間にある、請求項９に記載の機器。
【請求項１２】
前記機器の能力情報を前記無線アクセス装置へ送信するための手段であって、前記能力情報は前記機器が前記複製操作をサポートすることを示す、手段を更に備える、請求項９から１１のいずれか一項に記載の機器。
【請求項１３】
ユーザ機器（ＵＥ）のために、複製操作ための少なくとも１つのデータ無線ベアラ（ＤＲＢ）を設定するための手段と、
第１インジケーション情報を生成するための手段であって、前記第１インジケーション情報は、前記ＵＥに、前記複製操作を実行することを示す、または、前記ＵＥに、前記複製操作を停止することを示し、前記複製操作は、複数のリンクを通して、同一のパケットデータコンバーゼンスプロトコル（ＰＤＣＰ）プロトコルデータユニット（ＰＤＵ）を伝送することを含む、手段と、
前記ＵＥに、前記第１インジケーション情報およびＤＲＢの識別子を送信するための手段であって、前記第１インジケーション情報および前記ＤＲＢの前記識別子は、同一の媒体アクセス制御（ＭＡＣ）制御要素（ＣＥ）において保持され、前記ＤＲＢは、前記複製操作のために設定された前記少なくとも１つのＤＲＢに属する、手段と
を備える機器。
【請求項１４】
前記機器は、デュアルコネクティビティ（ＤＣ）シナリオまたはマルチコネクティビティ（ＭＣ）シナリオにおけるマスタ無線装置であり、前記複数のリンクは、前記ＵＥと前記マスタ無線装置との間のリンク、および、前記ＵＥと少なくとも１つの二次無線アクセス装置との間の少なくとも１つのリンクを含む、請求項１３に記載の機器。
【請求項１５】
前記複数のリンクは、キャリアアグリゲーション（ＣＡ）シナリオにおける前記ＵＥと前記機器との間にある、請求項１３に記載の機器。
【請求項１６】
前記ＵＥによって送信された能力情報を受信するための手段であって、前記能力情報は、前記ＵＥが前記複製操作をサポートすることを示す、手段を更に備える、請求項１３から１５のいずれか一項に記載の機器。
【請求項１７】
請求項１から４のいずれか一項に記載の方法をコンピュータに実行させるプログラム。
【請求項１８】
請求項５から８のいずれか一項に記載の方法をコンピュータに実行させるプログラム。
【発明の詳細な説明】
【技術分野】
【０００１】
本願は、２０１７年１月５日に中国特許庁に出願された、「データ伝送方法およびデータ伝送機器」と題する中国特許出願第２０１７１０００７８７５．８号に対する優先権を主張し、その全体は参照によって本明細書に組み込まれる。
【０００２】
本発明は、通信技術の分野、特に、データ伝送方法およびデータ伝送機器に関する。
【背景技術】
【０００３】
第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）リリース１２（Ｒｅｌｅａｓｅ  １２、Ｒ１２）は、ユーザ機器（Ｕｓｅｒ  Ｅｑｕｉｐｍｅｎｔ、ＵＥ）がマクロ基地局（Ｍａｃｒｏ  ｅＮｏｄｅ  Ｂ、ＭｅＮＢ）およびスモール基地局（Ｓｍａｌｌ  ｅＮｏｄｅ  Ｂ、ＳｅＮＢ）の両方に接続し、両方の基地局とのデータ伝送を同時に実行する、デュアルコネクティビティ（Ｄｕａｌ  Ｃｏｎｎｅｃｔｉｖｉｔｙ、ＤＣ）シナリオを導入する。
【０００４】
ＤＣシナリオにおいて、ＵＥは、制御プレーン上でＭｅＮＢとのシグナリング無線ベアラ（Ｓｉｇｎａｌｉｎｇ  Ｒａｄｉｏ  Ｂｅａｒｅｒ、ＳＲＢ）を確立し、ユーザプレーン上でＭｅＮＢおよびＳｅＮＢの各々とのデータ無線ベアラ（Ｄａｔａ  Ｒａｄｉｏ  Ｂｅａｒｅｒ、ＤＲＢ）を確立する。ＤＲＢは、ＤＲＢ副セルグループベアラ（Ｓｅｃｏｎｄａｒｙ  Ｃｅｌｌ  Ｇｒｏｕｐ  ｂｅａｒｅｒ）およびＤＲＢスプリットベアラ（ｓｐｌｉｔ  ｂｅａｒｅｒ）を含む。副セルグループベアラは、ユーザに対応する発展型パケットシステム（Ｅｖｏｌｖｅｄ  Ｐａｃｋｅｔ  Ｓｙｓｔｅｍ、ＥＰＳ）ベアラ上のデータは、すべてＳｅＮＢを通して伝送されることを意味する。スプリットベアラは、ＭｅＮＢが、ユーザに対応するＥＰＳベアラ上のいくつかのデータをＭｅＮＢを通して伝送し、ＥＰＳベアラ上のいくつかのデータをＳｅＮＢを通して伝送することを意味する。
【０００５】
ＤＣシナリオが第５世代（５ｔｈ  Ｇｅｎｅｒａｔｉｏｎ、５Ｇ）システムに適用されるとき、超高信頼低遅延通信（Ｕｌｔｒａ  Ｒｅｌｉａｂｌｅ  Ｌｏｗ  Ｌａｔｅｎｃｙ  Ｃｏｍｍｕｎｉｃａｔｉｏｎｓ、ＵＲＬＬＣ）サービスが５Ｇシステムに導入され、かつ、ＵＲＬＬＣサービスが０．５ｍｓ未満のデータ伝送遅延および９９．９９％以上のデータ伝送成功確率を必要とするので、既存のデータ伝送の解決法では、ＵＲＬＬＣサービスの要件を満たすことができない。
【発明の概要】
【０００６】
本願は、既存のデータ伝送の解決法がＵＲＬＬＣサービス要件を満たすことができないという問題を解消するべく、データ伝送方法およびデータ伝送機器を提供する。
【０００７】
第１態様によれば、データ伝送方法が提供される。方法は、ＵＥが、無線アクセス装置によって送信された第１インジケーション情報を受信する段階であって、第１インジケーション情報は、起動インジケーション情報または停止インジケーション情報であり、起動インジケーション情報は、処理操作を実行するようＵＥに命令するために使用され、停止インジケーション情報は、処理操作を停止するようＵＥに命令するために使用され、処理操作は、複製操作および切替操作のうち少なくとも１つを含む、段階と、第１インジケーション情報が起動インジケーション情報であるとき、ＵＥが処理操作を実行する段階、または、第１インジケーション情報が停止インジケーション情報であるとき、ＵＥが処理操作を停止する段階とを備え、複製操作は、複数のリンクを通して同一のデータを伝送することを意味し、切替操作は、複数のリンクから１つを選択してデータ伝送を実行することを意味する。
【０００８】
ＵＥが複製操作を実行するとき、ＵＥは、複数のリンクを通して、同一のデータを伝送する。このように、複数のリンクにおける比較的高いリンク信号品質を有するリンクが使用され得て、これにより、データ伝送の信頼性を改善する。ＵＥが切替操作を実行するとき、ＵＥは、複数のリンクから１つを選択してデータ伝送を実行する。選択されたリンクは一般に、比較的高い品質を有する。したがって、データ伝送の信頼性も改善できる。これにより、既存の単一リンクデータ伝送がＵＲＬＬＣについて高い信頼性を保証できないという問題を解消し、ＵＲＬＬＣサービス要件を満たす。
【０００９】
実行される必要がある処理操作が無いとき、無線アクセス装置は停止インジケーション情報をＵＥへ送信し、処理操作を停止するようＵＥに命令し、それにより、処理操作を通して実行されるデータ伝送によって引き起こされる追加のリソースオーバーヘッドを低減する。
【００１０】
第１態様の第１の可能な実装において、方法は更に、ＵＥが、無線アクセス装置によって送信された実行条件を受信する段階であって、実行条件は、処理操作を実行するかどうかを決定するためにＵＥによって使用される、段階を備え、この場合、ＵＥが処理操作を実行する段階は、ＵＥが実行条件を満たすとき、ＵＥが処理操作を実行する段階を含む。
【００１１】
第１態様の第２の可能な実装において、ＵＥは、無線アクセス装置によって送信された第１閾値を受信し、この場合、ＵＥは処理操作を実行し、当該処理操作には、ＵＥが、送信予定のアップリンクデータのデータ量を決定すること、および、データ量が第１閾値より少ないとき、ＵＥが複製操作を実行すること、または、データ量が第１閾値より多いとき、ＵＥが切替操作を実行すること、または、データ量が第１閾値より多いとき、ＵＥが複製操作を実行すること、または、データ量が第１閾値より少ないとき、ＵＥが切替操作を実行することが含まれる。
【００１２】
アップリンクデータのデータ量が比較的多いとき、複数のリンク上で同一のデータを送信することはリソースの浪費である。したがって、データ量が第１閾値より少ないときだけ、同一のデータが複数のリンク上で送信される。これによりリソースを節約し、また、データ伝送の信頼性を保証する。アップリンクデータのデータ量が比較的多いとき、１つのリンクを選択してアップリンクデータ伝送を実行し、これにより、アップリンクデータの伝送信頼性を保証する。
【００１３】
第１態様の第３の可能な実装において、方法は更に、ＵＥが、無線アクセス装置によって送信された第２インジケーション情報を受信する段階であって、第２インジケーション情報は、リンクに基づいて確立されたＳＲＢ、および／または、リンクに基づいて確立されたＤＲＢを示すために使用され、第２インジケーション情報は、第１インジケーション情報に関連する、段階を備え、この場合、ＵＥは、処理操作を実行し、当該処理操作には、第２インジケーション情報がＳＲＢを示すとき、ＵＥが、ＳＲＢに対応するリンクを選択して処理操作を実行すること、または、第２インジケーション情報がＤＲＢを示すとき、ＵＥが、ＤＲＢに対応するリンクを選択して処理操作を実行することが含まれる。
【００１４】
第１態様の第３の可能な実装に関連して、第１態様の第４の可能な実装において、方法は更に、ＵＥが、無線アクセス装置によって送信されたＤＲＢ識別子を受信する段階を備え、この場合、ＵＥは、ＤＲＢに対応するリンクを選択して処理操作を実行し、当該処理操作には、ＵＥが、ＤＲＢ識別子によって示されるＤＲＢに対応するリンクを選択して処理操作を実行することであって、ＤＲＢ識別子は第１インジケーション情報に関連する、実行することが含まれる。
【００１５】
任意選択で、ＵＥは更に、マスタ無線アクセス装置によって送信されたＳＲＢ識別子を受信し、ＳＲＢ識別子によって示されるＳＲＢに対応するリンクを選択して処理操作を実行し、ここで、ＳＲＢ識別子は第１インジケーション情報に関連する。
【００１６】
第１態様の第５の可能な実装において、ＵＥが、無線アクセス装置によって送信された第１インジケーション情報を受信する前に、方法は更に、ＵＥが、ＵＥの能力情報をマスタ無線アクセス装置へ送信する段階であって、能力情報は、ＵＥが処理操作をサポートするかどうかを示すために使用される、段階を備える。
【００１７】
ＵＥは能力情報を無線アクセス装置へ送信して、ＵＥが処理操作をサポートするかどうかを示す。無線アクセス装置は、処理操作をＵＥがサポートすると決定した後に、第１インジケーション情報をＵＥへ送信し、それにより、ＵＥが処理操作をサポートしないときに第１インジケーション情報をＵＥへ送信することによって引き起こされるリソースの浪費を回避する。
【００１８】
第１態様から、第１態様の第５の可能な実装のいずれか１つに関連して、第１態様の第６の可能な実装において、無線アクセス装置がキャリアアグリゲーション（Ｃａｒｒｉｅｒ  Ａｇｇｒｅｇａｔｉｏｎ、ＣＡ）シナリオに適用されるとき、方法は更に、ＵＥが、マスタ無線アクセス装置によって送信されたセル識別情報を受信し、セル識別情報によって示されるサービングセルを、複製操作を実行するためのサービングセルとして決定する段階、または、ＵＥが、無線アクセス装置によって送信されたセル数および第２閾値を受信し、ＵＥが、リンク信号品質が第２閾値より高いサービングセルを、複製操作を実行するためのサービングセルとして選択する段階であって、選択されたすべてのサービングセルの合計数は、セル数を超えない、段階、または、ＵＥが、ダウンリンクデータをＵＥへ送信するサービングセルを、複製操作を実行するためのサービングセルとして決定する段階を備える。
【００１９】
リンク信号品質が第２閾値より高いサービングセルを、複製操作を実行するためのサービングセルとして選択する段階は、データ伝送の信頼性を更に改善できる。
【００２０】
第１態様から、第１態様の第５の可能な実装のいずれか１つに関連して、第１態様の第７の可能な実装において、無線アクセス装置がＤＣシナリオまたはマルチコネクティビティ（Ｍｕｌｔｉｐｌｅ  Ｃｏｎｎｅｃｔｉｖｉｔｙ、ＭＣ）シナリオに適用され、かつ、無線アクセス装置がマスタ無線アクセス装置であるとき、方法は更に、ＵＥが、マスタ無線アクセス装置によって送信された二次無線アクセス装置インジケーション情報を受信し、二次無線アクセス装置インジケーション情報によって示される二次無線アクセス装置を、複製操作を実行するための無線アクセス装置として決定する段階、または、ＵＥが、マスタ無線アクセス装置によって送信される無線アクセス装置数および第３閾値を受信し、リンク信号品質が第３閾値より高い無線アクセス装置を、複製操作を実行するための無線アクセス装置として選択する段階であって、選択されたすべての無線アクセス装置の合計数は、無線アクセス装置数を超えない、段階、または、ＵＥが、ダウンリンクデータをＵＥへ送信する無線アクセス装置を、複製操作を実行するための無線アクセス装置として決定する段階を備える。
【００２１】
リンク信号品質が第３閾値より高い無線アクセス装置を、複製操作を実行するための無線アクセス装置として選択する段階は、データ伝送の信頼性を更に改善できる。
【００２２】
第１態様の第７の可能な実装に関連して、第１態様の第８の可能な実装において、複製操作が実行されるとき、方法は更に、ＵＥが、第１バッファステータスレポート（Ｂｕｆｆｅｒ  Ｓｔａｔｅ  Ｒｅｐｏｒｔｓ、ＢＳＲ）をマスタ無線アクセス装置および各二次無線アクセス装置へ別々に送信する段階であって、第１ＢＳＲは、マスタ無線アクセス装置のパケットデータコンバーゼンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）層におけるデータ量と、複製操作を実行する無線アクセス装置の数とを乗算することによって取得される積、および、マスタ無線アクセス装置に対応するそれぞれの無線リンク制御（Ｒａｄｉｏ  Ｌｉｎｋ  Ｃｏｎｔｒｏｌ、ＲＬＣ）層におけるデータ量と、各二次無線アクセス装置との和を含む、段階を備える。
【００２３】
第１態様の第７の可能な実装に関連して、第１態様の第９の可能な実装において、複製操作が実行されるとき、方法は更に、ＵＥが、無線アクセス装置によって送信されたアップリンク（Ｕｐ  Ｌｉｎｋ、ＵＬ）グラント（ｇｒａｎｔ）を受信する段階であって、無線アクセス装置は、マスタ無線アクセス装置、または、二次無線アクセス装置の１つである、段階と、ＵＥが、ＵＬグラントによって示されるアップリンクリソース上で第２ＢＳＲを無線アクセス装置へ送信する段階であって、第２ＢＳＲは、マスタ無線アクセス装置のＰＤＣＰ層におけるデータ量と、複製操作を実行する無線アクセス装置の数とを乗算することによって取得される積、ならびに、マスタ無線アクセス装置および各二次無線アクセス装置のそれぞれのＲＬＣ層におけるデータ量の和を含む、または、第２ＢＳＲは、マスタ無線アクセス装置のＰＤＣＰ層におけるデータ量と各二次無線アクセス装置のＲＬＣ層におけるデータ量との和、および、マスタ無線アクセス装置のＰＤＣＰ層におけるデータ量とＲＬＣ層におけるデータ量との和の間の、より小さな値を含む、段階を備える。
【００２４】
第１態様の第７の可能な実装に関連して、第１態様の第１０の可能な実装において、複製操作が実行されるとき、方法は更に、ＵＥが、第３ＢＳＲをマスタ無線アクセス装置へ送信し、第４ＢＳＲを各二次無線アクセス装置へ送信する段階であって、第３ＢＳＲは、マスタ無線アクセス装置のＰＤＣＰ層およびＲＬＣ層におけるデータ量の和を含み、第４ＢＳＲは、マスタ無線アクセス装置のＰＤＣＰ層におけるデータ量と、二次無線アクセス装置のＲＬＣ層におけるデータ量との和を含む、段階を備える。
【００２５】
第１態様の第７の可能な実装に関連して、第１態様の第１１の可能な実装において、複製操作が実行されるとき、方法は更に、ＵＥが、それぞれのリンク上で各無線アクセス装置によって送信されたＰＤＣＰプロトコルデータユニット（Ｐｒｏｔｏｃｏｌ  Ｄａｔａ  Ｕｎｉｔ、ＰＤＵ）を受信する段階と、ＵＥが、ＰＤＣＰステータスレポートをマスタ無線アクセス装置へ送信する段階であって、無線アクセス装置がマスタ無線アクセス装置を含むとき、ＰＤＣＰステータスレポートは、マスタ無線アクセス装置に、マスタ無線アクセス装置のＲＬＣ層、および、複製操作を実行する各二次無線アクセス装置のＲＬＣ層へ、正確に受信されたＰＤＣＰ  ＰＤＵに対応するシーケンス番号（Ｓｅｑｕｅｎｃｅ  Ｎｕｍｂｅｒ、ＳＮ）を通知するよう命令し、マスタ無線アクセス装置のＲＬＣ層、および、複製操作を実行する各二次無線アクセス装置のＲＬＣ層に、ＲＬＣ層において正確に受信されたＰＤＣＰ  ＰＤＵに対応するＲＬＣ  ＰＤＵ自動再送要求（Ａｕｔｏｍａｔｉｃ  Ｒｅｐｅａｔ  Ｒｅｑｕｅｓｔ、ＡＲＱ）を停止するよう命令するために使用される段階、または、無線アクセス装置がマスタ無線アクセス装置を含まないとき、ＰＤＣＰステータスレポートは、マスタ無線アクセス装置に、複製操作を実行する各二次無線アクセス装置のＲＬＣ層へ、正確に受信されたＰＤＣＰ  ＰＤＵに対応するＳＮを通知するよう命令するために、および、複製操作を実行する各二次無線アクセス装置のＲＬＣ層に、ＲＬＣ層において正確に受信されたＰＤＣＰ  ＰＤＵに対応するＲＬＣ  ＰＤＵ  ＡＲＱを停止するよう命令するために使用される、段階とを備える。
【００２６】
複製操作が実行されるとき、ＵＥは、複数のリンク上で同一のＰＤＣＰ  ＰＤＵを受信し、ＵＥは、ＰＤＣＰステータスレポートをマスタ無線アクセス装置に報告する。エアインタフェースオーバーヘッドを低減し、かつ、データ伝送遅延を低減するために、マスタ無線アクセス装置のＰＤＣＰ層は、マスタ無線アクセス装置のＲＬＣ層に、ＲＬＣ層において正確に受信されたＰＤＣＰ  ＰＤＵに対応するＲＬＣ  ＰＤＵ  ＡＲＱを停止するよう命令することに加えて、複製操作を実行する各二次無線アクセス装置のＲＬＣ層に、二次無線アクセス装置のＲＬＣ層において正確に受信されたＰＤＣＰ  ＰＤＵに対応するＲＬＣ  ＰＤＵ  ＡＲＱを停止するよう命令する必要がある。
【００２７】
第１態様の第７の可能な実装に関連して、第１態様の第１２の可能な実装において、複製操作が実行されるとき、方法は更に、ＵＥが、無線アクセス装置のそれぞれのリンク上で、ＰＤＣＰ  ＰＤＵを各無線アクセス装置へ送信する段階と、ＵＥが、マスタ無線アクセス装置によって送信されたＰＤＣＰステータスレポートを受信する段階であって、無線アクセス装置がマスタ無線アクセス装置および二次無線アクセス装置を含むとき、ＰＤＣＰステータスレポートは、ＵＥに、マスタ無線アクセス装置に対応するＲＬＣ層、および、複製操作を実行する各二次無線アクセス装置に対応するＲＬＣ層へ、正確に受信されたＰＤＣＰ  ＰＤＵに対応するＳＮを通知するよう命令するために、および、マスタ無線アクセス装置に対応するＲＬＣ層、および、複製操作を実行する各二次無線アクセス装置に対応するＲＬＣ層に、ＲＬＣ層において正確に受信されたＰＤＣＰ  ＰＤＵに対応するＲＬＣ  ＰＤＵ  ＡＲＱを停止するよう命令するために使用される、段階、または、無線アクセス装置が二次無線アクセス装置を含むとき、ＰＤＣＰステータスレポートは、ＵＥに、複製操作を実行する各二次無線アクセス装置に対応するＲＬＣ層へ、正確に受信されたＰＤＣＰ  ＰＤＵに対応するＳＮを通知するよう命令するために、および、複製操作を実行する各二次無線アクセス装置に対応するＲＬＣ層に、ＲＬＣ層において正確に受信されたＰＤＣＰ  ＰＤＵに対応するＲＬＣ  ＰＤＵ  ＡＲＱを停止するよう命令するために使用される、段階とを備える。
【００２８】
複製操作が実行されるとき、ＵＥは、複数のリンク上で、同一のＰＤＣＰ  ＰＤＵを送信し、マスタ無線アクセス装置は、ＰＤＣＰステータスレポートをＵＥへ報告する。エアインタフェースオーバーヘッドを低減し、かつ、データ伝送遅延を低減するべく、ＵＥのＰＤＣＰ層は、マスタ無線アクセス装置に対応するＲＬＣ層に、ＲＬＣ層において正確に受信されたＰＤＣＰ  ＰＤＵに対応するＲＬＣ  ＰＤＵ  ＡＲＱを停止するよう命令することに加えて、複製操作を実行する各二次無線アクセス装置に対応するＲＬＣ層に、二次無線アクセス装置のＲＬＣ層において正確に受信されたＰＤＣＰ  ＰＤＵに対応するＲＬＣ  ＰＤＵ  ＡＲＱを停止するよう命令する必要がある。
【００２９】
第１態様の第１３実装において、予め定められた規則は、最高の品質を有するリンクを選択すること、または、最高伝送速度を有するリンクを選択すること、または、もっとも安定的なリンク品質を有するリンクを選択することである。
【００３０】
第２態様によれば、データ伝送方法が提供される。方法は、無線アクセス装置が、第１インジケーション情報を生成する段階であって、第１インジケーション情報は起動インジケーション情報または停止インジケーション情報であり、起動インジケーション情報は、処理操作を実行するようユーザ機器ＵＥに命令するために使用され、停止インジケーション情報は、処理操作を停止するようＵＥに命令するために使用され、処理操作は、複製操作および切替操作のうち少なくとも１つを含む、段階と、第１インジケーション情報をＵＥへ送信する段階とを備え、複製操作は、複数のリンクを通して同一のデータを伝送することを意味し、切替操作は、複数のリンクから１つを選択してデータ伝送を実行することを意味する。
【００３１】
ＵＥが複製操作を実行するとき、ＵＥは、複数のリンクを通して、同一のデータを伝送する。このように、複数のリンクにおける比較的高いリンク信号品質を有するリンクが使用され得て、これにより、データ伝送の信頼性を改善する。ＵＥが切替操作を実行するとき、ＵＥは、複数のリンクから１つを選択してデータ伝送を実行する。選択されたリンクは一般に、比較的高い品質を有する。したがって、データ伝送の信頼性も改善できる。これにより、既存の単一リンクデータ伝送がＵＲＬＬＣについて高い信頼性を保証できないという問題を解消し、ＵＲＬＬＣサービス要件を満たす。
【００３２】
実行される必要がある処理操作が無いとき、マスタ無線アクセス装置は停止インジケーション情報をＵＥへ送信し、処理操作を停止するようＵＥに命令し、それにより、処理操作を通して実行されるデータ伝送によって引き起こされる追加のリソースオーバーヘッドを低減する。
【００３３】
第２態様の第１の可能な実装において、方法は更に、無線アクセス装置が実行条件をＵＥへ送信する段階であって、実行条件は、処理操作を実行するかどうかを決定するためにＵＥによって使用される、段階を備える。
【００３４】
第２態様の第２の可能な実装において、方法は更に、無線アクセス装置が、第１閾値をＵＥへ送信する段階であって、第１閾値は、複製操作または切替操作を実行することを決定するためにＵＥによって使用される、段階を備える。
【００３５】
第２態様の第３の可能な実装において、方法は更に、無線アクセス装置が、第２インジケーション情報をＵＥへ送信する段階であって、第２インジケーション情報は、第１インジケーション情報に関連する、段階を備え、第２インジケーション情報は、リンクに基づいて確立されたＳＲＢ、および／または、リンクに基づいて確立されたＤＲＢを示すために使用される。
【００３６】
第２態様の第３の可能な実装に関連して、第２態様の第４の可能な実装において、方法は更に、無線アクセス装置がＤＣシナリオまたはＭＣシナリオに適用され、かつ、無線アクセス装置がマスタ無線アクセス装置であるとき、マスタ無線アクセス装置が、第３インジケーション情報を二次無線アクセス装置へ送信する段階であって、第３インジケーション情報は、二次無線アクセス装置に、ＳＲＢのために無線リソース設定を実行するよう命令するために使用され、マスタ無線アクセス装置は、二次無線アクセス装置によって送信されたＳＲＢの設定情報を受信し、マスタ無線アクセス装置は、設定情報をＵＥへ送信する、段階を備える。
【００３７】
５Ｇシステムの新無線（Ｎｅｗ  Ｒａｄｉｏ、ＮＲ）は、高周波数で動作するので、深刻な遮蔽効果、および、急激なチャネル変化の条件がある。その結果、頻繁な無線リンク障害（Ｒａｄｉｏ  Ｌｉｎｋ  Ｆａｉｌｕｒｅ、ＲＬＦ）が引き起こされ得て、制御プレーンの信頼性を保証できない。本実施形態において、ＵＥは、マスタ無線アクセス装置へのＲＲＣ接続を確立するだけでなく、二次無線アクセス装置へのＲＲＣ接続も確立し、それにより、制御プレーンの信頼性を保証する。
【００３８】
第２態様の第３の可能な実装に関連して、第２態様の第５の可能な実装において、方法は更に、無線アクセス装置がＤＲＢ識別子をＵＥへ送信する段階であって、処理操作を実行するために、ＤＲＢ識別子によって示されるＤＲＢに対応するリンクが選択され、ＤＲＢ識別子は、第１インジケーション情報に関連する、段階を備える。
【００３９】
任意選択で、無線アクセス装置は更に、ＳＲＢ識別子をＵＥへ送信し、処理操作を実行するために、ＳＲＢ識別子によって示されるＳＲＢに対応するリンクが選択され、ＳＲＢ識別子は、第１インジケーション情報に関連する。
【００４０】
第２態様の第６の可能な実装において、方法は更に、無線アクセス装置が、ＵＥによって送信された能力情報を受信する段階であって、能力情報は、ＵＥが処理操作をサポートするかどうかを示すために使用される、段階を備える。
【００４１】
ＵＥは能力情報を無線アクセス装置へ送信して、ＵＥが処理操作をサポートするかどうかを示す。無線アクセス装置は、処理操作をＵＥがサポートすると決定した後に、第１インジケーション情報をＵＥへ送信し、それにより、ＵＥが処理操作をサポートしないときに第１インジケーション情報をＵＥへ送信することによって引き起こされるリソースの浪費を回避する。
【００４２】
第２態様から、第２態様の第６の可能な実装のいずれか１つに関連して、第２態様の第７の可能な実装において、無線アクセス装置がＣＡシナリオに適用されるとき、方法は更に、無線アクセス装置が、セル識別情報をＵＥへ送信する段階であって、セル識別情報によって示されるサービングセルは、複製操作を実行するためのサービングセルである、段階、または、無線アクセス装置が、セル数および第２閾値をＵＥへ送信する段階であって、リンク信号品質が第２閾値より高いサービングセルは、複製操作を実行するためのサービングセルであり、選択されたすべてのサービングセルの合計数は、セル数を超えない、段階、または、無線アクセス装置が、ダウンリンクデータをＵＥへ送信する段階であって、ダウンリンクデータをＵＥへ送信するサービングセルは、複製操作を実行するためのサービングセルである、段階を備える。
【００４３】
リンク信号品質が第２閾値より高いサービングセルを、複製操作を実行するためのサービングセルとして選択する段階は、データ伝送の信頼性を更に改善できる。
【００４４】
第２態様から、第２態様の第６の可能な実装のいずれか１つに関連して、第２態様の第８の可能な実装において、無線アクセス装置がＤＣシナリオまたはＭＣシナリオに適用され、かつ、無線アクセス装置がマスタ無線アクセス装置であるとき、方法は更に、マスタ無線アクセス装置が二次無線アクセス装置インジケーション情報をＵＥへ送信する段階であって、二次無線アクセス装置インジケーション情報によって示される二次無線アクセス装置は、複製操作を実行するための無線アクセス装置である、段階、または、マスタ無線アクセス装置が、無線アクセス装置数および第３閾値をＵＥへ送信する段階であって、リンク信号品質が第３閾値より高い無線アクセス装置は、複製操作を実行するための無線アクセス装置であり、選択されたすべての無線アクセス装置の合計数は、無線アクセス装置数を超えない、段階、または、マスタ無線アクセス装置が、ダウンリンクデータをＵＥへ送信する段階であって、ダウンリンクデータをＵＥへ送信する無線アクセス装置は、複製操作を実行するための無線アクセス装置である、段階を備える。
【００４５】
リンク信号品質が第３閾値より高い無線アクセス装置を、複製操作を実行するための無線アクセス装置として選択する段階は、データ伝送の信頼性を更に改善できる。
【００４６】
第２態様の第８の可能な実装に関連して、第２態様の第９の可能な実装において、複製操作が実行されるとき、方法は更に、マスタ無線アクセス装置が、ＵＥによって送信された第１ＢＳＲを受信する段階であって、第１ＢＳＲは、マスタ無線アクセス装置のＰＤＣＰ層におけるデータ量と、複製操作を実行する無線アクセス装置の数とを乗算して取得された積、ならびに、マスタ無線アクセス装置および各二次無線アクセス装置に対応するそれぞれのＲＬＣ層におけるデータ量の和を含む、段階と、マスタ無線アクセス装置が、ＵＥのアップリンクリソース上で第１ＢＳＲを受信する各二次無線アクセス装置とネゴシエートする段階とを備える。
【００４７】
第２態様の第８の可能な実装に関連して、第２態様の第１０の可能な実装において、複製操作が実行されるとき、方法は更に、マスタ無線アクセス装置が、ＵＥによって送信された第２ＢＳＲを受信する段階と、第２ＢＳＲが、マスタ無線アクセス装置のＰＤＣＰ層におけるデータ量と、複製操作を実行する無線アクセス装置の数とを乗算することによって取得された積、ならびに、マスタ無線アクセス装置および各二次無線アクセス装置のそれぞれのＲＬＣ層におけるデータ量の和を含むとき、マスタ無線アクセス装置が、第２ＢＳＲに基づいて、ＵＥに割り当てられる予定のアップリンクリソースを決定し、アップリンクリソースの量を、第２ＢＳＲにおいて示される量から減算して、要求されたアップリンクリソースの残存数を取得し、要求されたアップリンクリソースの残存数を二次無線アクセス装置へ送信する段階であって、要求されたアップリンクリソースの残存数は、二次無線アクセス装置に、ＵＥに割り当てられる予定のアップリンクリソースを決定するよう命令するために使用される、段階、または、第２ＢＳＲが、マスタ無線アクセス装置のＰＤＣＰ層におけるデータ量と、各二次無線アクセス装置のＲＬＣ層におけるデータ量との和、および、マスタ無線アクセス装置のＰＤＣＰ層におけるデータ量と、ＲＬＣ層におけるデータ量との和の間の、より小さな値を含むとき、マスタ無線アクセス装置が、第２ＢＳＲに基づいて、ＵＥに割り当てられる予定のアップリンクリソースを決定し、第２ＢＳＲを各二次無線アクセス装置へ転送する段階であって、第２ＢＳＲは、各二次無線アクセス装置に、ＵＥに割り当てられる予定のアップリンクリソースを決定するよう命令するために使用される、段階を備える。
【００４８】
第２態様の第８の可能な実装に関連して、第２態様の第１１の可能な実装において、複製操作が実行されるとき、方法は更に、マスタ無線アクセス装置が、二次無線アクセス装置の１つによって送信された、要求されたアップリンクリソースの残存数を受信する段階であって、要求されたアップリンクリソースの残存数は、二次無線アクセス装置によって、二次無線アクセス装置によってＵＥに割り当てられたアップリンクリソースの量を、ＵＥによって送信された第２ＢＳＲにおいて示される量から減算することによって取得される、段階、および、要求されたアップリンクリソースの残存数に基づいて、ＵＥに割り当てられる予定のアップリンクリソースを決定する段階、または、マスタ無線アクセス装置が、二次無線アクセス装置の１つによって送信された第２ＢＳＲを受信する段階であって、第２ＢＳＲは、ＵＥによって二次無線アクセス装置へ送信された第２ＢＳＲである、段階、および、第２ＢＳＲに基づいて、ＵＥに割り当てられる予定のアップリンクリソースを決定する段階であって、二次無線アクセス装置は、ＵＬグラントをＵＥへ送信する二次無線アクセス装置であり、ＵＥは、ＵＬグラントによって示されるアップリンクリソース上で、第２ＢＳＲを二次無線アクセス装置へ送信するよう構成される、段階を備える。
【００４９】
第２態様の第８の可能な実装に関連して、第２態様の第１２の可能な実装において、複製操作が実行されるとき、方法は更に、マスタ無線アクセス装置が、ＵＥによって送信された第３ＢＳＲを受信する段階であって、第３ＢＳＲは、マスタ無線アクセス装置のＰＤＣＰ層およびＲＬＣ層におけるデータ量の和を含む、段階、および、第３ＢＳＲに基づいて、ＵＥに割り当てられる予定のアップリンクリソースを決定する段階を備える。
【００５０】
第２態様の第８の可能な実装に関連して、第２態様の第１３の可能な実装において、複製操作が実行されるとき、方法は更に、マスタ無線アクセス装置が、ＵＥによって送信されたＰＤＣＰステータスレポートを受信する段階と、マスタ無線アクセス装置がリンク上でＰＤＣＰ  ＰＤＵをＵＥへ送信するとき、マスタ無線アクセス装置が、マスタ無線アクセス装置のＲＬＣ層、および、複製操作を実行する各二次無線アクセス装置のＲＬＣ層へ、ＵＥによって正確に受信されたＰＤＣＰ  ＰＤＵに対応するＳＮを通知し、マスタ無線アクセス装置のＲＬＣ層、および、複製操作を実行する各二次無線アクセス装置のＲＬＣ層に、ＲＬＣ層において正確に受信されたＰＤＣＰ  ＰＤＵに対応するＲＬＣ  ＰＤＵ  ＡＲＱを停止するよう命令する段階、または、マスタ無線アクセス装置がＰＤＣＰ  ＰＤＵをＵＥへ送信しないとき、マスタ無線アクセス装置は、複製操作を実行する各二次無線アクセス装置のＲＬＣ層へ、ＵＥによって正確に受信されたＰＤＣＰ  ＰＤＵに対応するシーケンス番号ＳＮを通知し、複製操作を実行する各二次無線アクセス装置のＲＬＣ層に、ＲＬＣ層において正確に受信されたＰＤＣＰ  ＰＤＵに対応するＲＬＣ  ＰＤＵ  ＡＲＱを停止するよう命令する段階とを備える。
【００５１】
複製操作が実行されるとき、ＵＥは、複数のリンク上で同一のＰＤＣＰ  ＰＤＵを受信し、ＵＥは、ＰＤＣＰステータスレポートをマスタ無線アクセス装置に報告する。エアインタフェースオーバーヘッドを低減し、かつ、データ伝送遅延を低減するために、マスタ無線アクセス装置のＰＤＣＰ層は、マスタ無線アクセス装置のＲＬＣ層に、ＲＬＣ層において正確に受信されたＰＤＣＰ  ＰＤＵに対応するＲＬＣ  ＰＤＵ  ＡＲＱを停止するよう命令することに加えて、各二次無線アクセス装置のＲＬＣ層に、二次無線アクセス装置のＲＬＣ層において正確に受信されたＰＤＣＰ  ＰＤＵに対応するＲＬＣ  ＰＤＵを停止するよう命令する必要がある。
【００５２】
第２態様の第８の可能な実装に関連して、第２態様の第１４の可能な実装において、複製操作が実行されるとき、方法は更に、マスタ無線アクセス装置がＰＤＣＰ  ＰＤＵを受信する段階と、マスタ無線アクセス装置がＰＤＣＰステータスレポートをＵＥへ送信する段階であって、ＰＤＣＰ  ＰＤＵが、ＵＥの各々、および、複製操作を実行する各二次無線アクセス装置によってそれぞれのリンク上で送信されるとき、ＰＤＣＰステータスレポートが、ＵＥに、マスタ無線アクセス装置に対応するＲＬＣ層、および、複製操作を実行する各二次無線アクセス装置に対応するＲＬＣ層へ、正確に受信されたＰＤＣＰ  ＰＤＵに対応するＳＮを通知するよう命令するために、ならびに、マスタ無線アクセス装置に対応するＲＬＣ層、および、複製操作を実行する各二次無線アクセス装置に対応するＲＬＣ層に、ＲＬＣ層において正確に受信されたＰＤＣＰ  ＰＤＵに対応するＲＬＣ  ＰＤＵ  ＡＲＱを停止するよう命令するために使用される、または、ＰＤＣＰ  ＰＤＵが、複製操作を実行する各二次無線アクセス装置によって、それぞれのリンク上で送信されるとき、ＰＤＣＰステータスレポートが、ＵＥに、複製操作を実行する各二次無線アクセス装置に対応するＲＬＣ層へ、正確に受信されたＰＤＣＰ  ＰＤＵに対応するＳＮを通知するよう命令するために、および、複製操作を実行する各二次無線アクセス装置に対応するＲＬＣ層に、ＲＬＣ層において正確に受信されたＰＤＣＰ  ＰＤＵに対応するＲＬＣ  ＰＤＵ  ＡＲＱを停止するよう命令するために使用される、段階とを備える。
【００５３】
複製操作が実行されるとき、ＵＥは、複数のリンク上で、同一のＰＤＣＰ  ＰＤＵを送信し、マスタ無線アクセス装置は、ＰＤＣＰステータスレポートをＵＥへ報告する。エアインタフェースオーバーヘッドを低減し、かつ、データ伝送遅延を低減するべく、ＵＥのＰＤＣＰ層は、マスタ無線アクセス装置に対応するＲＬＣ層に、ＲＬＣ層において正確に受信されたＰＤＣＰ  ＰＤＵに対応するＲＬＣ  ＰＤＵを停止するよう命令することに加えて、複製操作を実行する各二次無線アクセス装置に対応するＲＬＣ層に、二次無線アクセス装置のＲＬＣ層において正確に受信されたＰＤＣＰ  ＰＤＵに対応するＲＬＣ  ＰＤＵ  ＡＲＱを停止するよう命令する必要がある。
【００５４】
第３態様によれば、データ伝送機器が提供される。機器は少なくとも１つのユニットを備え、少なくとも１つのユニットは、第１態様、または、第１態様の少なくとも１つの実装において提供されるデータ伝送方法を実装するよう構成される。
【００５５】
第４態様によれば、データ伝送機器が提供される。機器は少なくとも１つのユニットを備え、少なくとも１つのユニットは、第２態様、または、第２態様の少なくとも１つの実装において提供されるデータ伝送方法を実装するよう構成される。
【００５６】
第５態様によれば、データ伝送機器が提供される。機器は、プロセッサ、および、プロセッサに接続された送受信機を備え、送受信機は、プロセッサによって制御されるよう構成され、プロセッサは、第１態様、または、第１態様の少なくとも１つの実装において提供されるデータ伝送方法を実装するよう構成される。
【００５７】
第６態様によれば、データ伝送機器が提供される。機器は、プロセッサ、および、プロセッサに接続された送受信機を備え、送受信機は、プロセッサによって制御されるよう構成され、プロセッサは、第２態様、または、第２態様の少なくとも１つの実装において提供されるデータ伝送方法を実装するよう構成される。
【図面の簡単な説明】
【００５８】
【図１】本発明の実施形態に係るデータ伝送システムの概略構造図である。
【００５９】
【図２】本発明の実施形態に係る１Ａアーキテクチャの概略構造図である。
【００６０】
【図３】本発明の実施形態に係る３Ｃアーキテクチャの概略構造図である。
【００６１】
【図４】本発明の実施形態に係る電子デバイスの概略構造図である。
【００６２】
【図５】本発明の実施形態に係るデータ伝送方法のフローチャートである。
【００６３】
【図６】本発明の実施形態に係るＢＳＲレポートの第１概略図である。
【００６４】
【図７】本発明の実施形態に係るＢＳＲレポートの第２概略図である。
【００６５】
【図８】本発明の実施形態に係るＢＳＲレポートの第３概略図である。
【００６６】
【図９】本発明の実施形態に係るＢＳＲレポートの第４概略図である。
【００６７】
【図１０】本発明の実施形態に係るデータ伝送機器の構造図である。
【００６８】
【図１１】本発明の実施形態に係るデータ伝送機器の構造図である。
【発明を実施するための形態】
【００６９】
本発明の目的、技術的解決法、および利点をより明確にするべく、以下では更に、添付図面に関連して本発明の実装を詳細に説明する。
【００７０】
本明細書において言及される「ユニット」は、ロジックに従って分割された機能構造である。「ユニット」は、ハードウェアのみにより実装され得るか、またはソフトウェアとハードウェアとの組み合わせにより実装され得る。
【００７１】
図１は、本発明の実施形態に係るデータ伝送システム１００の概略図である。データ伝送システム１００は、マスタ無線アクセス装置１１０、少なくとも１つの二次無線アクセス装置１２０およびＵＥ１３０を備える。
【００７２】
データ伝送システム１００が１つの二次無線アクセス装置１２０を備えるとき、ＤＣシナリオに対応して、マスタ無線アクセス装置１１０と二次無線アクセス装置１２０との間にリンクが確立され、二次無線アクセス装置１２０とＵＥ１３０との間にリンクが確立され、マスタ無線アクセス装置１１０とＵＥ１３０との間にリンクが確立される。データ伝送システム１００が少なくとも２つの二次無線アクセス装置１２０を備えるとき、ＭＣシナリオに対応して、マスタ無線アクセス装置１１０と各二次無線アクセス装置１２０との間にリンクが別々に確立され、各二次無線アクセス装置１２０とＵＥ１３０との間にリンクが確立され、二次無線アクセス装置１２０の間にリンクが確立され、マスタ無線アクセス装置１１０とＵＥ１３０との間にリンクが確立される。マスタ無線アクセス装置１１０は、Ｍ‐ｇＮＢ（Ｍａｓｔｅｒ  ｇＮＢ）と称され得て、二次無線アクセス装置１２０は、Ｓ‐ｇＮＢ（Ｓｅｃｏｎｄａｒｙ  ｇＮＢ）と称され得る。図１において、データ伝送システム１００が１つの二次無線アクセス装置１２０を備えることは、説明のための例として使用されているに過ぎない。
【００７３】
本実施形態において、制御プレーン上で、ＵＥ１３０はマスタ無線アクセス装置１１０および二次無線アクセス装置１２０の各々とのＳＲＢを確立する。具体的な確立プロセスは、以下で詳細に説明される。ユーザプレーン上で、ＵＥ１３０はマスタ無線アクセス装置１１０および二次無線アクセス装置１２０の各々とのＤＲＢを確立し、ＤＲＢは、ＳＣＧベアラおよびスプリットベアラを含む。
【００７４】
ＳＣＧベアラは１Ａアーキテクチャに適用される。図２を参照すると、１Ａアーキテクチャにおいて、ＭｅＮＢは、物理（ＰＨＹ）層、ＰＨＹ層の上の媒体アクセス制御（Ｍｅｄｉｕｍ  Ａｃｃｅｓｓ  Ｃｏｎｔｒｏｌ、ＭＡＣ）層、ＭＡＣ層の上のＲＬＣ層、および、ＲＬＣ層の上のＰＤＣＰ層を含み、ＳｅＮＢは、ＰＨＹ層、ＰＨＹ層の上のＭＡＣ層、ＭＡＣ層の上のＲＬＣ層、ＲＬＣ層の上のＰＤＣＰ層を含む。ネットワーク側は、ＭｅＮＢおよびＳｅＮＢの各々とのＳ１接続を確立する。
【００７５】
スプリットベアラは３Ｃアーキテクチャに適用される。図３を参照すると、３Ｃアーキテクチャにおいて、ＭｅＮＢは、ＰＨＹ層、ＰＨＹ層の上のＭＡＣ層、ＭＡＣ層の上のＲＬＣ層、ＲＬＣ層の上のＰＤＣＰ層を含み、ＳｅＮＢは、ＰＨＹ層、ＰＨＹ層の上のＭＡＣ層、ＭＡＣ層の上のＲＬＣ層を含み、ＳｅＮＢにおけるＲＬＣ層は、Ｘｎインタフェースを通して、ＭｅＮＢにおけるＰＤＣＰ層に接続される。ネットワーク側は、ＭｅＮＢとのＳ１接続を確立する。
【００７６】
データ伝送システム１００がＣＡシナリオに適用されるとき、データ伝送システム１００は無線アクセス装置１４０およびＵＥ１３０を備え得る。
【００７７】
図４は、本発明の実施形態に係る電子デバイス４００の概略構造図である。電子デバイス４００は、図１におけるマスタ無線アクセス装置１１０または二次無線アクセス装置１２０またはＵＥ１３０または無線アクセス装置１４０であり得る。電子デバイス４００は、プロセッサ４１０、および、プロセッサ４１０に接続される送受信機４２０を含む。
【００７８】
送受信機４２０は１または複数のアンテナを含み得る。アンテナは、電子デバイスが無線信号を送信または受信することを可能にする。
【００７９】
送受信機４２０は、通信回路４３０に接続され得る。通信回路４３０は、送受信機４２０によって受信または送信される信号に対して、例えば、送受信機４２０によって送信される予定の信号を変調する、または、送受信機４２０によって受信された信号を復調するなど、様々な処理を実行し得る。実際の実装において、通信回路４３０は、無線周波数（ｒａｄｉｏ  ｆｒｅｑｕｅｎｃｙ、ＲＦ）チップおよびベースバンドチップを含み得る。
【００８０】
通信回路４３０は、プロセッサ４１０に接続され得る。代替的に、通信回路４３０は、プロセッサ４１０に統合され得る。プロセッサ４１０は電子デバイスのコントロールセンタである。プロセッサ４１０は、中央処理装置（ｃｅｎｔｒａｌ  ｐｒｏｃｅｓｓｉｎｇ  ｕｎｉｔ、ＣＰＵ）、ネットワークプロセッサ（ｎｅｔｗｏｒｋ  ｐｒｏｃｅｓｓｏｒ、ＮＰ）、または、ＣＰＵおよびＮＰの組み合わせであり得る。プロセッサ４１０はハードウェアチップを更に含み得る。ハードウェアチップは、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、プログラマブルロジックデバイス（ｐｒｏｇｒａｍｍａｂｌｅ  ｌｏｇｉｃ  ｄｅｖｉｃｅ、ＰＬＤ）、またはそれらの組み合わせであってよい。ＰＬＤは、複合プログラマブル論理デバイス（ｃｏｍｐｌｅｘ  ｐｒｏｇｒａｍｍａｂｌｅ  ｌｏｇｉｃ  ｄｅｖｉｃｅ、ＣＰＬＤ）、フィールドプログラマブルゲートアレイ（ｆｉｅｌｄ−ｐｒｏｇｒａｍｍａｂｌｅ  ｇａｔｅ  ａｒｒａｙ、ＦＰＧＡ）、汎用アレイロジック（ｇｅｎｅｒｉｃ  ａｒｒａｙ  ｌｏｇｉｃ、ＧＡＬ）またはそれらの任意の組み合わせであり得る。
【００８１】
メモリ４４０はバスを使用することによって、または別の方式で、プロセッサ４１０に接続される。メモリ４４０は揮発性メモリ（ｖｏｌａｔｉｌｅ  ｍｅｍｏｒｙ）、不揮発性メモリ（ｎｏｎ−ｖｏｌａｔｉｌｅ  ｍｅｍｏｒｙ）またはそれらの組み合わせであり得る。揮発性メモリは、ランダムアクセスメモリ（ｒａｎｄｏｍ−ａｃｃｅｓｓ  ｍｅｍｏｒｙ、ＲＡＭ）、例えば、スタティックランダムアクセスメモリ（ｓｔａｔｉｃ  ｒａｎｄｏｍ  ａｃｃｅｓｓ  ｍｅｍｏｒｙ、ＳＲＡＭ）またはダイナミックランダムアクセスメモリ（ｄｙｎａｍｉｃ  ｒａｎｄｏｍ  ａｃｃｅｓｓ  ｍｅｍｏｒｙ、ＤＲＡＭ）であり得る。不揮発性メモリは、リードオンリーメモリ（ｒｅａｄ  ｏｎｌｙ  ｍｅｍｏｒｙ、ＲＯＭ）、例えば、プログラマブルリードオンリーメモリ（ｐｒｏｇｒａｍｍａｂｌｅ  ｒｅａｄ  ｏｎｌｙ  ｍｅｍｏｒｙ、ＰＲＯＭ）、消去可能プログラマブルリードオンリーメモリ（ｅｒａｓａｂｌｅ  ｐｒｏｇｒａｍｍａｂｌｅ  ｒｅａｄ  ｏｎｌｙ  ｍｅｍｏｒｙ、ＥＰＲＯＭ）、または、電気的消去可能プログラマブルリードオンリーメモリ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ、ＥＥＰＲＯＭ）であり得る。代替的に、不揮発性メモリは、フラッシュメモリ（ｆｌａｓｈ  ｍｅｍｏｒｙ）、または、ディスクメモリ、例えば、磁気テープ（ｍａｇｎｅｔｉｃ  ｔａｐｅ）、フロッピーディスク、もしくは、ハードディスクであり得る。代替的に、不揮発性メモリは光ディスクであり得る。
【００８２】
本実施形態において、データ伝送システムがマスタ無線アクセス装置および二次無線アクセス装置を備えるとき、ＵＥがマスタ無線アクセス装置および二次無線アクセス装置と通信する前に、マスタ無線アクセス装置は、ＳＲＢおよびＤＲＢを設定する必要があり、ＳＲＢおよびＤＲＢを設定するよう各二次無線アクセス装置に命令する。二次無線アクセス装置は、ＳＲＢおよびＤＲＢを設定する同一のプロセスを有する。マスタ無線アクセス装置によってＳＲＢおよびＤＲＢを設定する技術は非常に成熟している。当該技術については、関連する技術の説明を参照されたい。本実施形態では詳細を説明しない。マスタ無線アクセス装置が、ＳＲＢおよびＤＲＢを設定するよう各二次無線アクセス装置に命令するプロセスをここで説明する。説明を容易にするべく、本実施形態において、マスタ無線アクセス装置が、ＳＲＢおよびＤＲＢを設定するよう１つの二次無線アクセス装置に命令することは、説明のための例として使用される。
【００８３】
マスタ無線アクセス装置は、ＳＲＢおよび／またはＤＲＢの無線リソース設定を実行するよう二次無線アクセス装置に命令する。二次無線アクセス装置は、マスタ無線アクセス装置のインジケーションに基づいてＳＲＢおよび／またはＤＲＢの無線リソース設定を実行し、マスタ無線アクセス装置を通して、生成された設定情報をＵＥへ送信する。表１は、マスタ無線アクセス装置によって二次無線アクセス装置へ送信される設定要求である。表２は、二次無線アクセス装置によってフィードバックされる設定応答である。
【表１】
0006912118.tif 000002
【表２】
0006912118.tif 000003
【００８４】
設定要求は、二次無線アクセス装置追加要求（Ｓ−ｇＮＢ  ａｄｄｉｔｉｏｎ  ｒｅｑｕｅｓｔ）メッセージを使用することによって実装され得る。設定応答は、二次無線アクセス装置追加応答（Ｓ−ｇＮＢ  ａｄｄｉｔｉｏｎ  ｒｅｓｐｏｎｓｅ）メッセージを使用することによって実装され得る。
【００８５】
既存の機構において、ＤＲＢタイプは、スプリットおよびＳＣＧを含む、ＤＲＢのベアラタイプを示す。マスタ無線アクセス装置は、タイプを列挙することによって、スプリットベアラまたはＳＣＧベアラを設定するよう二次無線アクセス装置に命令する。
【００８６】
同様に、マスタ無線アクセス装置は、ＳＲＢ設定を実行するよう二次無線アクセス装置に命令するために同一の方式を使用し得る。例えば、マスタ無線アクセス装置は、ＳＲＢ１およびＳＲＢ２を設定し、ＳＲＢ１は、ＳＲＢ  ＩＤ１を使用することによって識別され、ＳＲＢ２は、ＳＲＢ  ＩＤ２を使用することによって識別される。この場合、マスタ無線アクセス装置は、ＳＲＢ  ＩＤおよび設定インジケーションに基づいて、ＳＲＢ  ＩＤに対応するＳＲＢのために無線リソース設定を実行するよう二次無線アクセス装置に命令する。代替的に、マスタ無線アクセス装置は、ＳＲＢ  ＩＤを二次無線アクセス装置へ直接送信し、二次無線アクセス装置は、識別子を受信した後に、ＳＲＢ  ＩＤに対応するＳＲＢのために無線リソース設定を実行する。言い換えれば、表１における設定インジケーションは任意選択のパラメータである。
【００８７】
設定インジケーションは、マスタ無線アクセス装置が複製操作および／または切替操作をサポートすることを示すことができることに留意されたい。
【００８８】
データ伝送システムが５Ｇシステムに適用されるとき、ＮＲは高周波数で動作し、深刻な遮蔽効果、および、急激なチャネル変化の状態がある。その結果、頻繁なＲＬＦが引き起こされ得て、制御プレーンの信頼性を保証できない。本実施形態において、ＵＥは、マスタ無線アクセス装置へのＲＲＣ接続を確立するだけでなく、二次無線アクセス装置へのＲＲＣ接続を確立し、それにより、制御プレーンの信頼性を保証する。
【００８９】
図５は、本発明の実施形態に係るデータ伝送方法のフローチャートである。本実施形態において、図１に示されるデータ伝送システムに当該方法が適用されることは、説明のための例として使用される。無線アクセス装置１１０およびＵＥ１３０は以下の段階を実行する。当該方法は以下のいくつかの段階を備える。
【００９０】
段階５０１：ＵＥは、ＵＥの能力情報を無線アクセス装置へ送信し、能力情報は、ＵＥが処理操作をサポートするかどうかを示すために使用される。
【００９１】
処理操作は、複製操作および切替操作のうち少なくとも１つを含む。
【００９２】
複製操作は、複数のリンクを通して同一のデータを伝送することを意味する。ここでの複製操作は、ｄｕｐｌｉｃａｔｉｏｎ操作とも称され得る。例えば、無線アクセス装置がＤＣシナリオまたはＭＣシナリオに適用されるとき、データ伝送システムは、マスタ無線アクセス装置および二次無線アクセス装置を備える。ＵＥは、１個のマスタ無線アクセス装置、および、ｎ個（ｎは正の整数である）の二次無線アクセス装置の各々とのリンクを確立する。ＵＥは、マスタ無線アクセス装置のリンク、および、複数の二次無線アクセス装置のリンクを通して、同一のアップリンクデータを送信し得る、または、ＵＥは、マスタ無線アクセス装置のリンク、および、複数の二次無線アクセス装置のリンクを通して、同一のダウンリンクデータを受信し得る。別の例として、無線アクセス装置がＣＡシナリオに適用されるとき、データ伝送システムは無線アクセス装置を含む。ＵＥは無線アクセス装置の複数のサービングセルとのリンクを確立する。ＵＥは複数のリンクを通して同一のアップリンクデータを送信する、または、複数のリンクを通して同一のダウンリンクデータを受信し得る。
【００９３】
切替操作は、複数のリンクから１つを選択してデータ伝送を実行することを意味する。切替操作は、ここではｓｗｉｔｃｈｉｎｇ操作とも称され得る。例えば、無線アクセス装置がＤＣシナリオまたはＭＣシナリオに適用されるとき、データ伝送システムは、マスタ無線アクセス装置および二次無線アクセス装置を備える。ＵＥは、１つのマスタ無線アクセス装置、および、ｎ個（ｎは正の整数である）の二次無線アクセス装置の各々とのリンクを確立し、複数のリンクから１つを選択して、アップリンクデータを送信する、または、ダウンリンクデータを受信する。別の例として、無線アクセス装置がＣＡシナリオに適用されるとき、データ伝送システムは無線アクセス装置を含む。ＵＥは無線アクセス装置の複数のサービングセルとのリンクを確立する。ＵＥは、複数のリンクから１つを選択して、アップリンクデータを送信する、または、ダウンリンクデータを受信する。
【００９４】
任意選択で、切替操作は更に、予め定められた規則に従って複数のリンクから１つを選択してデータ伝送を実行することを意味し得る。予め定められた規則は、最高の品質を有するリンクを選択すること、または、最高伝送速度を有するリンクを選択すること、または、もっとも安定的なリンク品質を有するリンクを選択することであり得る。このように、ＵＥは、要件に基づいて１つのリンクを選択し得て、これにより、データ伝送信頼性を改善する、または、伝送速度を増加させる。
【００９５】
いくつかのＵＥは、処理操作をサポートするが、いくつかのＵＥはサポートしない。したがって、ＵＥは更に、生成された能力情報において、ＵＥが処理操作をサポートするかどうかを示す必要があり、能力情報を無線アクセス装置へ送信し、その結果、無線アクセス装置は、ＵＥが処理操作をサポートするかどうかを明確化できる。
【００９６】
段階５０２：無線アクセス装置は、ＵＥによって送信された能力情報を受信する。
【００９７】
段階５０３：無線アクセス装置は第１インジケーション情報を生成し、第１インジケーション情報は起動インジケーション情報または停止インジケーション情報である。
【００９８】
起動インジケーション情報は、処理操作を実行するようＵＥに命令するために使用され、停止インジケーション情報は、処理操作を停止するようＵＥに命令するために使用される。このように、処理操作が実行される必要がないとき、処理操作を停止するようにＵＥに命令することができ、それにより、処理操作を通して実行されるデータ伝送によって引き起こされるリソースの浪費を低減する。
【００９９】
段階５０４：無線アクセス装置は第１インジケーション情報をＵＥへ送信する。
【０１００】
無線アクセス装置は、第１インジケーション情報をＭＡＣ制御要素（Ｃｏｎｔｒｏｌ  Ｅｌｅｍｅｎｔ、ＣＥ）またはＲＲＣメッセージに追加してＵＥへ送信し得る、または、無線アクセス装置は、第１インジケーション情報を別のメッセージに追加してＵＥへ送信し得る、または、無線アクセス装置は別々に第１インジケーション情報を送信し得る。本実施形態に制限は課されない。
【０１０１】
段階５０５：ＵＥは、無線アクセス装置によって送信された第１インジケーション情報を受信する。
【０１０２】
段階５０６：第１インジケーション情報が起動インジケーション情報であるとき、ＵＥは処理操作を実行する、または、第１インジケーション情報が停止インジケーション情報であるとき、ＵＥは処理操作を停止する。
【０１０３】
別の可能な実装として、本発明の実施形態において、第１インジケーション情報が起動インジケーション情報であるときにＵＥが処理操作を実行する解決法は、第１インジケーション情報が停止インジケーション情報であるときにＵＥが処理操作を停止する解決法と並列であり、実行順序は限定されるものではないことに特に留意されたい。第１インジケーション情報が停止インジケーション情報であり、かつ、ＵＥが処理操作を停止するとき、第１インジケーション情報が起動インジケーション情報であり、ＵＥが処理操作を実行することは、任意選択可能な実装上の解決法である。同様に、第１インジケーション情報が起動インジケーション情報であり、かつ、ＵＥが処理操作を実行するとき、第１インジケーション情報が停止インジケーション情報であり、ＵＥが処理操作を停止することは、更なる任意選択可能な実装上の解決法である。例えば、ＵＥによって受信された１つのインジケーション情報が起動インジケーション情報であるとき、ＵＥは処理操作を実行する。または、ＵＥによって受信された１つのインジケーション情報が停止インジケーション情報であるとき、ＵＥの操作は限定されないことがあり得る。同様に、ＵＥによって受信された１つのインジケーション情報が停止インジケーション情報であるとき、ＵＥは処理操作を停止する。または、ＵＥによって受信された１つのインジケーション情報が起動インジケーション情報であるとき、ＵＥの操作は限定されないことがあり得る。
【０１０４】
起動シナリオにおいて、起動インジケーション情報は、ＵＥに、処理操作を実行するよう命令するために使用されるが、ＵＥは、処理操作をいつ実行するかを決定できない。したがって、無線アクセス装置は、実行条件をＵＥへ送信し得て、その結果、ＵＥは、実行条件に基づいて、処理操作をいつ実行するか決定する。
【０１０５】
具体的には、無線アクセス装置は、実行条件をＵＥへ送信し、実行条件は、処理操作を実行するかどうかを決定するためにＵＥによって使用される。対応して、ＵＥは、無線アクセス装置によって送信された実行条件を受信する。この場合、段階５０６における「ＵＥは処理操作を実行する」は、「ＵＥが実行条件を満たすとき、ＵＥは処理操作を実行する」と置き換えられ得る。
【０１０６】
実行条件は、信号品質閾値またはデータ量閾値を示すために使用され得る。例えば、実行条件が信号品質閾値を示す場合、信号品質が信号品質閾値より低いとき、ＵＥは、処理操作を実行し、信号品質が信号品質閾値より高いとき、ＵＥは、処理操作を実行しない、または、信号品質が信号品質閾値より高いとき、ＵＥは、処理操作を実行し、信号品質が信号品質閾値より低いとき、ＵＥは処理操作を実行しない。実行条件がデータ量閾値を示す場合、送信予定のアップリンクデータのデータ量がデータ量閾値より少ないとき、ＵＥは処理操作を実行し、データ量がデータ量閾値より多いとき、ＵＥは処理操作を実行しない、または、データ量がデータ量閾値より多いとき、ＵＥは処理操作を実行し、データ量がデータ量閾値より少ないとき、ＵＥは処理操作を実行しない。
【０１０７】
起動シナリオにおいて、起動インジケーション情報は、ＵＥに、処理操作を実行するよう命令するために使用されるが、ＵＥは、複製操作をいつ実行するか、および、切替操作をいつ実行するかを決定できない。したがって、無線アクセス装置は、第１閾値をＵＥへ送信し得て、その結果、ＵＥは、第１閾値に基づいて、複製操作または切替操作を実行することを決定する。
【０１０８】
具体的には、無線アクセス装置は、第１閾値をＵＥへ送信する。対応して、ＵＥは、無線アクセス装置によって送信された第１閾値を受信する。この場合、段階５０６における「ＵＥは処理操作を実行する」は、「ＵＥは送信予定のアップリンクデータのデータ量を決定する」に置き換えられ得て、データ量が第１閾値より少ないとき、ＵＥは複製操作を実行し、データ量が第１閾値より多いとき、ＵＥは切替操作を実行する、または、データ量が第１閾値より多いとき、ＵＥは複製操作を実行し、データ量が第１閾値より少ないとき、ＵＥは切替操作を実行する。
【０１０９】
任意選択で、無線アクセス装置は、第１閾値を起動インジケーション情報に追加してＵＥへ送信し得る、または、無線アクセス装置は、第１閾値および起動インジケーション情報を共に別のメッセージに追加してＵＥへ送信し得る、または、無線アクセス装置は、第１閾値をＵＥへ別々に送信し得る。本実施形態に制限は課されない。
【０１１０】
起動シナリオにおいて、起動インジケーション情報は、ＵＥに、処理操作を実行するよう命令するために使用されるが、ＵＥは、ＳＲＢに対応するリンクを選択して処理操作を実行すること、または、ＤＲＢに対応するリンクを選択して処理操作を実行することを決定できない。したがって、無線アクセス装置は更に、第２インジケーション情報をＵＥへ送信する必要があり、その結果、ＵＥは、第２インジケーション情報に基づいて、ＳＲＢに対応するリンクを選択して処理操作を実行するか、または、ＤＲＢに対応するリンクを選択して処理操作を実行するかを決定する。
【０１１１】
具体的には、無線アクセス装置は、第２インジケーション情報をＵＥへ送信し、第２インジケーション情報は、ＳＲＢおよび／またはＤＲＢを示すために使用され、第２インジケーション情報は、第１インジケーション情報に関連する。対応して、ＵＥは、無線アクセス装置によって送信された第２インジケーション情報を受信する。この場合、段階５０６における「ＵＥは処理操作を実行する」は、「第２インジケーション情報がＳＲＢを示すとき、ＵＥはＳＲＢに対応するリンクを選択して処理操作を実行する」、または、「第２インジケーション情報がＤＲＢを示すとき、ＵＥはＤＲＢに対応するリンクを選択して処理操作を実行する」と置き換えられ得る。
【０１１２】
任意選択で、第１インジケーション情報が起動インジケーション情報であるとき、第２インジケーション情報が第１インジケーション情報に関連しているということは、第２インジケーション情報が起動インジケーション情報において保持されることを意味し、この場合、無線アクセス装置は、第２インジケーション情報を起動インジケーション情報に追加してＵＥへ送信し得る、または、第２インジケーション情報が第１インジケーション情報に関連しているということは、第２インジケーション情報および起動インジケーション情報が同一メッセージにおいて保持されることを意味し、この場合、無線アクセス装置は、第２インジケーション情報および起動インジケーション情報を共に別のメッセージに追加してＵＥへ送信し得る、または、第２インジケーション情報が第１インジケーション情報に関連しているということは、第２インジケーション情報と第１インジケーション情報との間に対応関係があることを意味し、この場合、無線アクセス装置は、第２インジケーション情報をＵＥへ別々に送信し得る。本実施形態に制限は課されない。
【０１１３】
無線アクセス装置とＵＥとの間で設定されるＤＲＢは複数あってよく、処理操作は、いくつかのＤＲＢに対応するリンクで実行される必要があり、処理操作は、他のＤＲＢに対応するリンクで実行される必要はない。したがって、無線アクセス装置は更に、ＤＲＢ識別子をＵＥへ送信する必要があり、ＤＲＢ識別子は、第１インジケーション情報に関連し、その結果、ＵＥは、ＤＲＢ識別子に基づいて、対応するリンクが処理操作を実行するために選択される予定の特定のＤＲＢを決定する。ＤＲＢ識別子は、ＤＲＢを示すために使用される。
【０１１４】
具体的には、本実装は更に、無線アクセス装置がＤＲＢ識別子をＵＥへ送信する段階を備える。対応して、ＵＥは、無線アクセス装置によって送信されたＤＲＢ識別子を受信する。この場合、「ＵＥはＤＲＢに対応するリンクを選択して処理操作を実行する」は、「ＵＥはＤＲＢ識別子によって示されるＤＲＢに対応するリンクを選択して処理操作を実行する」と置き換えられ得る。
【０１１５】
第１インジケーション情報が起動インジケーション情報であるとき、ＤＲＢ識別子が第１インジケーション情報に関連しているということは、ＤＲＢ識別子が起動インジケーション情報において保持されることを意味し、この場合、無線アクセス装置は、ＤＲＢ識別子を起動インジケーション情報に追加してＵＥへ送信し得る、または、ＤＲＢ識別子が第１インジケーション情報に関連しているということは、ＤＲＢ識別子および起動インジケーション情報が同一メッセージにおいて保持されることを意味し、この場合、無線アクセス装置は、ＤＲＢ識別子および起動インジケーション情報を共に別のメッセージに追加してＵＥへ送信し得る、または、ＤＲＢ識別子が第１インジケーション情報に関連しているということは、ＤＲＢ識別子と第１インジケーション情報との間に対応関係があることを意味し、この場合、無線アクセス装置は、ＤＲＢ識別子をＵＥへ別々に送信し得る。本実施形態に制限は課されない。
【０１１６】
同様に、無線アクセス装置とＵＥとの間で設定されるＳＲＢは複数あってよく、処理操作は、いくつかのＳＲＢに対応するリンクで実行される必要があり、処理操作は、他のＳＲＢに対応するリンクで実行される必要はない。したがって、無線アクセス装置は更に、ＳＲＢ識別子をＵＥへ送信する必要があり、ＳＲＢ識別子は、第１インジケーション情報に関連し、その結果、ＵＥは、ＳＲＢ識別子に基づいて、対応するリンクが処理操作を実行するために選択される予定の特定のＳＲＢを決定する。ＳＲＢ識別子は、ＳＲＢを示すために使用される。
【０１１７】
具体的には、本実装は更に、無線アクセス装置がＳＲＢ識別子をＵＥへ送信する段階を備える。対応して、ＵＥは、無線アクセス装置によって送信されたＳＲＢ識別子を受信する。この場合、「ＵＥはＳＲＢに対応するリンクを選択して処理操作を実行する」は、「ＵＥはＳＲＢ識別子によって示されるＳＲＢに対応するリンクを選択して処理操作を実行する」と置き換えられ得る。
【０１１８】
第１インジケーション情報が起動インジケーション情報であるとき、ＳＲＢ識別子が第１インジケーション情報に関連しているということは、ＳＲＢ識別子が起動インジケーション情報において保持されることを意味し、この場合、無線アクセス装置は、ＳＲＢ識別子を起動インジケーション情報に追加してＵＥへ送信し得る、または、ＳＲＢ識別子が第１インジケーション情報に関連しているということは、ＳＲＢ識別子および起動インジケーション情報が同一メッセージにおいて保持されることを意味し、この場合、無線アクセス装置は、ＳＲＢ識別子および起動インジケーション情報を共に別のメッセージに追加してＵＥへ送信し得る、または、ＳＲＢ識別子が第１インジケーション情報に関連しているということは、ＳＲＢ識別子と第１インジケーション情報との間に対応関係があることを意味し、この場合、無線アクセス装置は、ＳＲＢ識別子をＵＥへ別々に送信し得る。本実施形態に制限は課されない。
【０１１９】
無線アクセス装置がＣＡシナリオに適用されるとき、データ伝送システムは無線アクセス装置を含む。複製操作を実行する前に、ＵＥは更に、どのサービングセルが複製操作をサポートするかを決定する必要がある。この実施形態において、複製操作をサポートするサービングセルを選択する３つの方式が提供される。以下では、３つの選択方式を別々に説明する。
【０１２０】
（１）第１選択方式において、無線アクセス装置は、セル識別情報をＵＥへ送信する。対応して、ＵＥは、無線アクセス装置によって送信されたセル識別情報を受信し、セル識別情報によって示されるサービングセルは、複製操作を実行するためのサービングセルである。
【０１２１】
具体的には、無線アクセス装置は、セル識別情報を起動インジケーション情報に追加してＵＥへ送信し得る、または、無線アクセス装置は、セル識別情報および起動インジケーション情報を共に別のメッセージに追加してＵＥへ送信し得る、または、無線アクセス装置は、セル識別情報をＵＥへ別々に送信し得る。本実施形態に制限は課されない。
【０１２２】
（２）第２の選択方式において、無線アクセス装置は、セル数および第２閾値をＵＥへ送信する。対応して、ＵＥは、無線アクセス装置によって送信されたセル数および第２閾値を受信し、リンク信号品質が第２閾値より高いサービングセルを、複製操作を実行するためのサービングセルとして選択し、選択されたサービングセルの合計数は、セル数を超えない。
【０１２３】
リンク信号品質が第２閾値より高いサービングセルが複製操作を実行し、複製操作を実行するサービングセルの合計数がセル数を超えないので、ＵＥは、これら２つの条件に基づいて、複製操作を実行するためのサービングセルを選択する。
【０１２４】
リンク信号品質が第２閾値より高いサービングセルの合計数がセル数を超えるとき、ＵＥは、高いリンク信号品質から低いリンク信号品質の順序でサービングセルをソートし、上位に位置するサービングセルを選択し得る、または、ＵＥは、サービングセルをランダムに選択し得る。ここで、選択されたサービングセルの合計数はセル数を超えない。
【０１２５】
無線アクセス装置は、セル数および第２閾値を起動インジケーション情報に追加してＵＥへ送信し得る、または、無線アクセス装置は、セル数、第２閾値および起動インジケーション情報を共に別のメッセージに追加してＵＥへ送信し得る、または、無線アクセス装置は、セル数および第２閾値をＵＥへ別々に送信し得る。本実施形態に制限は課されない。
【０１２６】
（３）第３の選択方式において、無線アクセス装置はダウンリンクデータをＵＥへ送信する。対応して、ＵＥは、ダウンリンクデータをＵＥへ送信するサービングセルを、複製操作を実行するためのサービングセルとして決定する。
【０１２７】
ＵＥは、ＵＥがダウンリンクデータを受信するサービングセルを、複製操作を実行するためのサービングセルとして決定する。
【０１２８】
無線アクセス装置がＤＣシナリオまたはＭＣシナリオに適用されるとき、データ伝送システムは、マスタ無線アクセス装置および二次無線アクセス装置を備える。複数の異なる無線アクセス装置が、同一のＳＲＢおよび／またはＤＲＢを設定済みであり得る。したがって、複製操作を実行する前に、ＵＥは更に、どの無線アクセス装置が複製操作をサポートするかを決定する必要がある。本実施形態において、複製操作をサポートする無線アクセス装置を選択する３つの方式が提供される。以下では、３つの選択方式を別々に説明する。
【０１２９】
（１）第１の選択方式において、マスタ無線アクセス装置は、二次無線アクセス装置インジケーション情報をＵＥへ送信する。対応して、ＵＥは、マスタ無線アクセス装置によって送信された二次無線アクセス装置インジケーション情報を受信し、二次無線アクセス装置インジケーション情報によって示された二次無線アクセス装置を、複製操作を実行するための無線アクセス装置として決定する。
【０１３０】
具体的には、マスタ無線アクセス装置は、二次無線アクセス装置インジケーション情報を起動インジケーション情報に追加してＵＥへ送信し得る、または、マスタ無線アクセス装置は、二次無線アクセス装置インジケーション情報および起動インジケーション情報を共に別のメッセージに追加してＵＥへ送信し得る、または、マスタ無線アクセス装置は、二次無線アクセス装置インジケーション情報をＵＥへ別々に送信し得る。本実施形態に制限は課されない。
【０１３１】
（２）第２の選択方式において、マスタ無線アクセス装置は、無線アクセス装置数および第３閾値をＵＥへ送信する。対応して、ＵＥは、マスタ無線アクセス装置によって送信された無線アクセス装置数および第３閾値を受信し、リンク信号品質が第２閾値より高い無線アクセス装置を、複製操作を実行するための無線アクセス装置として選択し、選択された無線アクセス装置の合計数は、無線アクセス装置数を超えない。
【０１３２】
リンク信号品質が第３閾値より高い無線アクセス装置が複製操作を実行し、複製操作を実行する無線アクセス装置の合計数が無線アクセス装置数を超えることができないので、ＵＥは、これら２つの条件に基づいて、複製操作を実行するための無線アクセス装置を選択する。
【０１３３】
リンク信号品質が第３閾値より高い無線アクセス装置の合計数が無線アクセス装置数を超えるとき、ＵＥは、高いリンク信号品質から低いリンク信号品質への順序で、無線アクセス装置をソートし、上位に位置する無線アクセス装置を選択し得る、または、ＵＥは、無線アクセス装置をランダムに選択し得る。ここで、選択された無線アクセス装置の合計数は、無線アクセス装置数を超えない。
【０１３４】
マスタ無線アクセス装置は、無線アクセス装置数および第３閾値を起動インジケーション情報に追加してＵＥへ送信し得る、または、マスタ無線アクセス装置は、無線アクセス装置数、第３閾値および起動インジケーション情報を共に別のメッセージに追加してＵＥへ送信し得る、または、マスタ無線アクセス装置は、無線アクセス装置数および第３閾値をＵＥへ別々に送信し得る。本実施形態に制限は課されない。
【０１３５】
（３）第３の選択方式において、マスタ無線アクセス装置は、ダウンリンクデータをＵＥへ送信する。対応して、ＵＥは、ダウンリンクデータをＵＥへ送信する無線アクセス装置を、複製操作を実行する無線アクセス装置として決定する。
【０１３６】
ＵＥは、ＵＥがダウンリンクデータを受信する無線アクセス装置を、複製操作を実行する無線アクセス装置として決定する。
【０１３７】
無線アクセス装置がＤＣシナリオまたはＭＣシナリオに適用されるとき、データ伝送システムは、マスタ無線アクセス装置および二次無線アクセス装置を備える。複製操作を実行する前に、ＵＥは更に、ＢＳＲを無線アクセス装置へ送信する必要があり、その結果、無線アクセス装置は、複製操作を実行するために使用されるアップリンクリソースをＵＥに割り当てる。本実施形態において、ＢＳＲを無線アクセス装置へ送信する４つの方式が提供される。以下では、４つの送信方式を別々に説明する。
【０１３８】
（１）第１送信方式において、ＵＥは、第１ＢＳＲをマスタ無線アクセス装置および各二次無線アクセス装置へ別々に送信し、第１ＢＳＲは、マスタ無線アクセス装置のＰＤＣＰ層におけるデータ量と、複製操作を実行する無線アクセス装置の数とを乗算することによって取得される積、ならびに、マスタ無線アクセス装置および各二次無線アクセス装置に対応するそれぞれのＲＬＣ層におけるデータ量の和を含む。対応して、マスタ無線アクセス装置は、ＵＥによって送信された第１ＢＳＲを受信し、ＵＥのアップリンクリソース上で第１ＢＳＲを受信する各二次無線アクセス装置とネゴシエートする。
【０１３９】
複製操作が実行されるとき、ＵＥによって送信されたアップリンクデータは、マスタ無線アクセス装置のＲＬＣ層および各二次無線アクセス装置のＲＬＣ層の両方へ送信される。各二次無線アクセス装置のＲＬＣ層は、マスタ無線アクセス装置のＰＤＣＰ層に関連する。したがって、マスタ無線アクセス装置に対応するＢＳＲは、マスタ無線アクセス装置のＰＤＣＰ層およびＲＬＣ層におけるデータ量の和を含み、各二次無線アクセス装置に対応するＢＳＲは、マスタ無線アクセス装置のＰＤＣＰ層におけるデータ量、および、二次無線アクセス装置のＲＬＣ層におけるデータ量の和を含む。この場合、第１ＢＳＲは、マスタ無線アクセス装置のＰＤＣＰ層におけるデータ量と、複製操作を実行する無線アクセス装置の数とを乗算することによって取得される積、ならびに、マスタ無線アクセス装置および各二次無線アクセス装置に対応するそれぞれのＲＬＣ層におけるデータ量の和を含む。無線アクセス装置はマスタ無線アクセス装置および二次無線アクセス装置を備える。
【０１４０】
二次無線アクセス装置の数が１であると想定すると、マスタ無線アクセス装置のＰＤＣＰ層におけるデータ量は２００バイトであり、マスタ無線アクセス装置のＲＬＣ層におけるデータ量は８００バイトであり、二次無線アクセス装置のＲＬＣ層におけるデータ量は６００バイトであり、第１ＢＳＲ＝２×２００＋８００＋６００＝１８００バイトである。二次無線アクセス装置の数が２であると想定すると、マスタ無線アクセス装置のＰＤＣＰ層におけるデータ量は２００バイトであり、マスタ無線アクセス装置のＲＬＣ層におけるデータ量は８００バイトであり、二次無線アクセス装置１のＲＬＣ層におけるデータ量は６００バイトであり、二次無線アクセス装置２のＲＬＣ層におけるデータ量は７００バイトであり、第１ＢＳＲ＝２×２００＋８００＋６００＋７００＝２５００バイトである。
【０１４１】
第１ＢＳＲを生成した後に、ＵＥは、第１ＢＳＲをマスタ無線アクセス装置および各二次無線アクセス装置へ別々に送信する。マスタ無線アクセス装置は、各無線アクセス装置が第１ＢＳＲに対応するアップリンクリソースをＵＥに割り当てることが原因で引き起こされる過剰なスケジューリングの問題を回避するべく、ＵＥのアップリンクリソース上で第１ＢＳＲを受信する各二次無線アクセス装置とネゴシエートし、それにより、スケジューリングのリソースを節約する。図６において、ＵＥが第１ＢＳＲをマスタ無線アクセス装置および１つの二次無線アクセス装置へ送信することは、説明のための例として使用され、マスタ無線アクセス装置は１０００バイトのアップリンクリソースをＵＥに割り当て、二次無線アクセス装置は８００バイトのアップリンクリソースをＵＥに割り当てる。
【０１４２】
（２）第２送信方式において、ＵＥは、マスタ無線アクセス装置によって送信されたＵＬグラントを受信し、ＵＬグラントによって示されたアップリンクリソース上で第２ＢＳＲをマスタ無線アクセス装置へ送信する。対応して、マスタ無線アクセス装置は、ＵＥによって送信された第２ＢＳＲを受信し、第２ＢＳＲが、マスタ無線アクセス装置のＰＤＣＰ層におけるデータ量と、複製操作を実行する無線アクセス装置の数とを乗算することによって取得された積、ならびに、マスタ無線アクセス装置および各二次無線アクセス装置のそれぞれのＲＬＣ層におけるデータ量の和を含むとき、マスタ無線アクセス装置は、第２ＢＳＲに基づいて、ＵＥに割り当てられる予定のアップリンクリソースを決定し、マスタ無線アクセス装置によってＵＥに割り当てられたアップリンクリソースの量を、第２ＢＳＲにおいて示される量から減算して、要求されたアップリンクリソースの残存数を取得し、要求されたアップリンクリソースの残存数を二次無線アクセス装置へ送信し、要求されたアップリンクリソースの残存数は、二次無線アクセス装置に、ＵＥに割り当てられる予定のアップリンクリソースを決定するよう命令するために使用される、または、第２ＢＳＲが、マスタ無線アクセス装置のＰＤＣＰ層におけるデータ量と、各二次無線アクセス装置のＲＬＣ層におけるデータ量との和、および、マスタ無線アクセス装置のＰＤＣＰ層におけるデータ量と、ＲＬＣ層におけるデータ量との和の間の、より小さな値を含むとき、マスタ無線アクセス装置は、第２ＢＳＲに基づいて、ＵＥに割り当てられる予定のアップリンクリソースを決定し、第２ＢＳＲを各二次無線アクセス装置へ転送し、第２ＢＳＲは、各二次無線アクセス装置に、ＵＥに割り当てられる予定のアップリンクリソースを決定するよう命令するために使用される。
【０１４３】
第２ＢＳＲを送信する前に、ＵＥは更に、第２ＢＳＲを送信するために使用されるアップリンクリソースを決定する必要がある。あるシナリオにおいて、ＵＥは、第２ＢＳＲを送信するために使用されるアップリンクリソースを無線アクセス装置に要求する。要求を受信した後に、無線アクセス装置は、ＵＬグラントをＵＥへ送信する。ＵＥは、ＵＬグラントによって示されるアップリンクリソース上で第２ＢＳＲを送信する。代替的に、別のシナリオにおいて、アップリンクデータを送信するために使用される、ＵＥによって無線アクセス装置に要求されるアップリンクリソースが残っているとき、ＵＥは、残っているアップリンクリソース上で第２ＢＳＲを無線アクセス装置へ送信する。この場合、無線アクセス装置はマスタ無線アクセス装置、または、二次無線アクセス装置の１または複数、または、マスタ無線アクセス装置および二次無線アクセス装置のすべてであり得る。本実施形態に制限は課されない。
【０１４４】
この送信方式において、ＵＥが第２ＢＳＲをマスタ無線アクセス装置へ送信することは、説明のための例として使用される。この場合、第２ＢＳＲは、マスタ無線アクセス装置のＰＤＣＰ層におけるデータ量と、複製操作を実行する無線アクセス装置の数とを乗算することによって取得される積、ならびに、マスタ無線アクセス装置および各二次無線アクセス装置のそれぞれのＲＬＣ層におけるデータ量の和を含む、または、第２ＢＳＲは、マスタ無線アクセス装置のＰＤＣＰ層におけるデータ量と、各二次無線アクセス装置のＲＬＣ層におけるデータ量との和、および、マスタ無線アクセス装置のＰＤＣＰ層におけるデータ量と、ＲＬＣ層におけるデータ量との和の間の、より小さな値を含む。以下では、２つのタイプの第２ＢＳＲの実装を別々に説明する。
【０１４５】
第２ＢＳＲが、マスタ無線アクセス装置のＰＤＣＰ層におけるデータ量と、複製操作を実行する無線アクセス装置の数とを乗算して取得される積、ならびに、マスタ無線アクセス装置および各二次無線アクセス装置のそれぞれのＲＬＣ層におけるデータ量の和を含むとき、第２ＢＳＲの計算方式の詳細については、第１送信方式における説明を参照されたい。ここでは詳細を再度説明しない。
【０１４６】
例えば、ＵＥはまず、マスタ無線アクセス装置によって送信されたＵＬグラントを受信し、二次無線アクセス装置の数は１であり、第２ＢＳＲにおける量は、第１送信方式において取得された１８００バイトである。この場合、ＵＥは、第２ＢＳＲをマスタ無線アクセス装置へ送信する。マスタ無線アクセス装置が１０００バイトのアップリンクリソースをＵＥに割り当てることができるとマスタ無線アクセス装置が決定する場合、マスタ無線アクセス装置は、要求されたアップリンクリソースの残存数＝１８００−１０００＝８００バイトと計算し、要求されたアップリンクリソースの残存数を二次無線アクセス装置へ送信し、その結果、図７において示されるように、二次無線アクセス装置は更に、８００バイトのアップリンクリソースをＵＥに割り当てる。
【０１４７】
二次無線アクセス装置の数が少なくとも２であるとき、マスタ無線アクセス装置は、要求されたアップリンクリソースの第１残存数を、複製操作を実行することが許容された二次無線アクセス装置の１つへ送信し得ることに留意されたい。二次無線アクセス装置は、要求されたアップリンクリソースの第１残存数に基づいて、二次無線アクセス装置がアップリンクリソースをＵＥに割り当てることができると決定し、アップリンクリソースの量を、要求されたアップリンクリソースの第１残存数から減算し、同様に、ＵＥに割り当てられたアップリンクリソースの量が第２ＢＳＲによって示される量に到達するまで、要求されたアップリンクリソースの取得された第２残存数を残存する二次無線アクセス装置の１つへ送信する。代替的に、任意選択で、マスタ無線アクセス装置は更に、要求されたアップリンクリソースの残存数を、複製操作を実行する二次無線アクセス装置のすべて、または、いくつかへ送信し得て、その結果、二次無線アクセス装置のすべて、または、いくつかは、ＵＥのアップリンクリソース上で互いにネゴシエートする。
【０１４８】
第２ＢＳＲはまた、マスタ無線アクセス装置のＰＤＣＰ層におけるデータ量と、各二次無線アクセス装置のＲＬＣ層におけるデータ量との和、および、マスタ無線アクセス装置のＰＤＣＰ層におけるデータ量と、ＲＬＣ層におけるデータ量との和の間の、より小さな値を含み得る。
【０１４９】
二次無線アクセス装置の数が１であると想定すると、マスタ無線アクセス装置のＰＤＣＰ層におけるデータ量は２００バイトであり、マスタ無線アクセス装置のＲＬＣ層におけるデータ量は８００バイトであり、二次無線アクセス装置のＲＬＣ層におけるデータ量は６００バイトであり、第２ＢＳＲ＝ｍｉｎ｛２００＋８００，２００＋６００｝＝８００バイトである。マスタ無線アクセス装置は、８００バイトのアップリンクリソースをＵＥに割り当て、次に、第２ＢＳＲを二次無線アクセス装置へ転送し、その結果、図８において示されるように、二次無線アクセス装置は、８００バイトのアップリンクリソースをＵＥに割り当てる。
【０１５０】
（３）第３の送信方式において、二次無線アクセス装置はＵＬグラントをＵＥへ送信する。対応して、ＵＥは、二次無線アクセス装置の１つによって送信されたＵＬグラントを受信し、ＵＬグラントによって示されるアップリンクリソース上で、第２ＢＳＲを二次無線アクセス装置へ送信する。対応して、マスタ無線アクセス装置は、二次無線アクセス装置の１つによって送信された、要求されたアップリンクリソースの残存数を受信することであって、要求されたアップリンクリソースの残存数は、二次無線アクセス装置によって、二次無線アクセス装置によってＵＥに割り当てられたアップリンクリソースの量を、第２ＢＳＲによって示される量から減算することによって取得される、受信すること、要求されたアップリンクリソースの残存数に基づいて、ＵＥに割り当てられる予定のアップリンクリソースを決定すること、または、二次無線アクセス装置の１つによって送信された第２ＢＳＲを受信することであって、第２ＢＳＲは、ＵＥによって二次無線アクセス装置へ送信される、受信すること、および、第２ＢＳＲに基づいて、ＵＥに割り当てられる予定のアップリンクリソースを決定することを行う。
【０１５１】
この送信方式において、ＵＥが第２ＢＳＲを二次無線アクセス装置へ送信することは、説明のための例として使用される。この場合、この送信方式における二次無線アクセス装置は、第２送信方式におけるマスタ無線アクセス装置と同様であり、この送信方式におけるマスタ無線アクセス装置は、第２送信方式における二次無線アクセス装置と同様である。実装の詳細については、第２送信方式における説明を参照されたい。ここでは詳細を再度説明しない。
【０１５２】
上記の３つの送信方式において、ＵＥがＢＳＲをマスタ無線アクセス装置および複数の二次無線アクセス装置へ送信するとき、ネットワーク側は、複製操作を実行する無線アクセス装置を明確にする必要があり、または、そうでない場合、ネットワーク側のネゴシエーションを実行できないことに留意されたい。
【０１５３】
（４）第４の送信方式において、ＵＥは、第３ＢＳＲをマスタ無線アクセス装置へ送信し、第４ＢＳＲを各二次無線アクセス装置へ送信し、第３ＢＳＲは、マスタ無線アクセス装置のＰＤＣＰ層およびＲＬＣ層におけるデータ量の和を含み、第４ＢＳＲは、マスタ無線アクセス装置のＰＤＣＰ層におけるデータ量と、二次無線アクセス装置のＲＬＣ層におけるデータ量との和を含む。対応して、マスタ無線アクセス装置は、ＵＥによって送信された第３ＢＳＲを受信し、第３ＢＳＲに基づいて、ＵＥに割り当てられる予定のアップリンクリソースを決定する。
【０１５４】
二次無線アクセス装置の数が１であると想定すると、マスタ無線アクセス装置のＰＤＣＰ層におけるデータ量は２００バイトであり、マスタ無線アクセス装置のＲＬＣ層におけるデータ量は８００バイトであり、二次無線アクセス装置のＲＬＣ層におけるデータ量は６００バイトであり、第３ＢＳＲ＝２００＋８００＝１０００バイト、第４ＢＳＲ＝２００＋６００＝８００バイトである。ＵＥは、図９に示されるように、第３ＢＳＲをマスタ無線アクセス装置へ送信し、第４ＢＳＲを二次無線アクセス装置へ送信する。
【０１５５】
無線アクセス装置がＤＣシナリオまたはＭＣシナリオに適用されるとき、データ伝送システムは、マスタ無線アクセス装置および二次無線アクセス装置を備える。複製操作が実行されるとき、ＵＥは、それぞれのリンク上で各無線アクセス装置によって送信されたＰＤＣＰ  ＰＤＵを受信し、ＰＤＣＰステータスレポートをマスタ無線アクセス装置へ送信する。対応して、マスタ無線アクセス装置は、ＵＥによって送信されたＰＤＣＰステータスレポートを受信する。マスタ無線アクセス装置がＰＤＣＰ  ＰＤＵをＵＥへ送信するとき、マスタ無線アクセス装置は、マスタ無線アクセス装置のＲＬＣ層、および、複製操作を実行する各二次無線アクセス装置のＲＬＣ層へ、ＵＥによって正確に受信されたＰＤＣＰ  ＰＤＵに対応するＳＮを通知し、マスタ無線アクセス装置のＲＬＣ層、および、複製操作を実行する各二次無線アクセス装置のＲＬＣ層に、ＲＬＣ層において正確に受信されたＰＤＣＰ  ＰＤＵに対応するＲＬＣ  ＰＤＵ  ＡＲＱを停止するよう命令する、または、マスタ無線アクセス装置がＰＤＣＰ  ＰＤＵをＵＥへ送信しないとき、マスタ無線アクセス装置は、複製操作を実行する各二次無線アクセス装置のＲＬＣ層へ、ＵＥによって正確に受信されたＰＤＣＰ  ＰＤＵに対応するシーケンス番号ＳＮを通知し、複製操作を実行する各二次無線アクセス装置のＲＬＣ層に、ＲＬＣ層において正確に受信されたＰＤＣＰ  ＰＤＵに対応するＲＬＣ  ＰＤＵ  ＡＲＱを停止するよう命令する。
【０１５６】
ＵＥは、ＰＤＣＰステータスレポートをマスタ無線アクセス装置へ定期的に送信し得て、マスタ無線アクセス装置はＸｎインタフェースを通して、各二次無線アクセス装置をＲＬＣ層へ通知し得る。
【０１５７】
マスタ無線アクセス装置および１つの二次無線アクセス装置がＰＤＣＰ  ＰＤＵをＵＥへ送信することは、説明のための例として使用される。例えば、マスタ無線アクセス装置のＰＤＣＰ層は、５つのダウンリンク（Ｄｏｗｎ  Ｌｉｎｋ、ＤＬ）パケットを受信し、ＰＤＣＰ  ＰＤＵ１／２／３／４／５を生成する。マスタ無線アクセス装置のＰＤＣＰ層は、マスタ無線アクセス装置のＲＬＣ層／ＭＡＣ層／ＰＨＹ層を通してＰＤＣＰ  ＰＤＵ１／２／３／４／５をＵＥへ送信し、マスタ無線アクセス装置のＰＤＣＰ層は、二次無線アクセス装置のＲＬＣ層／ＭＡＣ層／ＰＨＹ層を通して、ＰＤＣＰ  ＰＤＵ１／２／３／４／５をＵＥへ送信する。ＵＥがＰＤＣＰ  ＰＤＵ１／４／５をマスタ無線アクセス装置から正確に受信し、かつ、ＰＤＣＰ  ＰＤＵ２／５を二次無線アクセス装置から正確に受信する場合、ＵＥは、ＰＤＣＰ  ＰＤＵを再ソートし、重複パケット検出を実行し、ＰＤＣＰ  ＰＤＵ１／２／４／５が正確に受信されたと決定する。この場合、ＵＥは、ＳＮ１／２／４／５を有するＰＤＣＰ  ＰＤＵが正確に受信されたとマスタ無線アクセス装置に通知するために、ＰＤＣＰステータスレポートをマスタ無線アクセス装置へ送信し得る。マスタ無線アクセス装置のＰＤＣＰ層は、マスタ無線アクセス装置のＲＬＣ層へＳＮを通知し、その結果、マスタ無線アクセス装置のＲＬＣ層は、ＲＬＣ層におけるＳＮ１／２／４／５を有するＰＤＣＰ  ＰＤＵに対応するＲＬＣ  ＰＤＵ  ＡＲＱを停止する。次に、マスタ無線アクセス装置のＰＤＣＰ層は、Ｘｎインタフェースを通して、二次無線アクセス装置のＲＬＣ層を通知し、その結果、二次無線アクセス装置のＲＬＣ層は、ＲＬＣ層におけるＳＮ１／２／４／５を有するＰＤＣＰ  ＰＤＵに対応するＲＬＣ  ＰＤＵ  ＡＲＱを停止し、それにより、不必要なリソースの浪費を低減する。
【０１５８】
無線アクセス装置がＤＣシナリオまたはＭＣシナリオに適用されるとき、データ伝送システムは、マスタ無線アクセス装置および二次無線アクセス装置を備える。複製操作が実行されるとき、ＵＥは、無線アクセス装置のそれぞれのリンク上で、各ＰＤＣＰ  ＰＤＵを無線アクセス装置へ送信する。対応して、マスタ無線アクセス装置は、ＰＤＣＰ  ＰＤＵを受信し、ＰＤＣＰステータスレポートをＵＥへ送信する。対応して、ＵＥは、マスタ無線アクセス装置によって送信されたＰＤＣＰステータスレポートを受信する。無線アクセス装置がマスタ無線アクセス装置および二次無線アクセス装置を含むとき、ＰＤＣＰステータスレポートは、ＵＥに、マスタ無線アクセス装置に対応するＲＬＣ層、および、複製操作を実行する各二次無線アクセス装置に対応するＲＬＣ層へ、正確に受信されたＰＤＣＰ  ＰＤＵに対応するＳＮを通知するよう命令するために、および、マスタ無線アクセス装置に対応するＲＬＣ層、および、複製操作を実行する各二次無線アクセス装置に対応するＲＬＣ層に、ＲＬＣ層において正確に受信されたＰＤＣＰ  ＰＤＵに対応するＲＬＣ  ＰＤＵ  ＡＲＱを停止するよう命令するために使用される、または、無線アクセス装置が二次無線アクセス装置を含むとき、ＰＤＣＰステータスレポートは、ＵＥに、複製操作を実行する各二次無線アクセス装置に対応するＲＬＣ層へ、正確に受信されたＰＤＣＰ  ＰＤＵに対応するＳＮを通知するよう命令するために、および、複製操作を実行する各二次無線アクセス装置に対応するＲＬＣ層に、ＲＬＣ層において正確に受信されたＰＤＣＰ  ＰＤＵに対応するＲＬＣ  ＰＤＵ  ＡＲＱを停止するよう命令するために使用される。
【０１５９】
マスタ無線アクセス装置はＰＤＣＰステータスレポートをＵＥへ定期的に送信し得る。
【０１６０】
ＵＥがＰＤＣＰ  ＰＤＵをマスタ無線アクセス装置および１つの二次無線アクセス装置へ送信することは、説明のための例として使用される。例えば、ＵＥのＰＤＣＰ層は、５個のＵＬパケットを受信し、ＰＤＣＰ  ＰＤＵ１／２／３／４／５を生成する。ＵＥのＰＤＣＰ層は、マスタ無線アクセス装置に対応するＲＬＣ層／ＭＡＣ層／ＰＨＹ層を通して、ＰＤＣＰ  ＰＤＵ１／２／３／４／５をマスタ無線アクセス装置へ送信し、ＵＥのＰＤＣＰ層は、二次無線アクセス装置に対応するＲＬＣ層／ＭＡＣ層／ＰＨＹ層を通して、ＰＤＣＰ  ＰＤＵ１／２／３／４／５を各二次無線アクセス装置へ送信する。マスタ無線アクセス装置がＰＤＣＰ  ＰＤＵ１／４／５を正確に受信する場合、二次無線アクセス装置は、ＰＤＣＰ  ＰＤＵ２／５を正確に受信し、二次無線アクセス装置は更に、Ｘｎインタフェースを通して、正確に受信されたＰＤＣＰ  ＰＤＵ２／５をマスタ無線アクセス装置へ転送し、マスタ無線アクセス装置のＰＤＣＰ層は、受信されたＰＤＣＰ  ＰＤＵを再ソートし、重複パケット検出を実行し、ＰＤＣＰ  ＰＤＵ１／２／４／５が正確に受信されたと決定する。この場合、マスタ無線アクセス装置は、ＳＮ１／２／４／５を有するＰＤＣＰ  ＰＤＵが正確に受信されたことを通知するために、ＰＤＣＰステータスレポートをＵＥへ送信し得る。ＵＥのＰＤＣＰ層は、マスタ無線アクセス装置に対応するＲＬＣ層へＳＮを通知し、ＲＬＣ層におけるＳＮ１／２／４／５を有するＰＤＣＰ  ＰＤＵに対応するＲＬＣ  ＰＤＵ  ＡＲＱを停止するようＲＬＣ層に命令する。次に、ＵＥのＰＤＣＰ層は、二次無線アクセス装置に対応するＲＬＣ層を通知し、ＲＬＣ層におけるＳＮ１／２／４／５を有するＰＤＣＰ  ＰＤＵに対応するＲＬＣ  ＰＤＵ  ＡＲＱを停止するようＲＬＣ層に命令し、それにより、不必要なリソースの浪費を低減する。
【０１６１】
結論として、本発明の本実施形態において提供されるデータ伝送方法によれば、ＵＥが複製操作を実行するとき、ＵＥは、複数のリンクを通して同一のデータを伝送する。このように、複数のリンクにおける比較的高いリンク信号品質を有するリンクが使用され得て、これにより、データ伝送の信頼性を改善する。ＵＥが切替操作を実行するとき、ＵＥは、複数のリンクから１つを選択する。選択されたリンクは一般に、比較的高い品質を有する。したがって、データ伝送の信頼性も改善できる。これにより、既存の技術において、単一リンクのみを通してデータを伝送でき、ＵＲＬＬＣデータ伝送信頼性を保証できないという問題を解消し、ＵＲＬＬＣサービス要件が満たされる。
【０１６２】
実行される必要がある処理操作が無いとき、マスタ無線アクセス装置は停止インジケーション情報をＵＥへ送信し、処理操作を停止するようＵＥに命令し、それにより、処理操作を通して実行されるデータ伝送によって引き起こされる追加のリソースオーバーヘッドを低減する。
【０１６３】
ＵＥは能力情報を無線アクセス装置へ送信して、ＵＥが処理操作をサポートするかどうかを示す。無線アクセス装置は、処理操作をＵＥがサポートすると決定した後に、第１インジケーション情報をＵＥへ送信し、それにより、ＵＥが処理操作をサポートしないときに第１インジケーション情報をＵＥへ送信することによって引き起こされるリソースの浪費を回避する。
【０１６４】
図１０は、本発明の実施形態に係るデータ伝送機器のブロック図である。データ伝送機器は、ソフトウェア、ハードウェア、または、ソフトウェアおよびハードウェアの組み合わせを使用することによって、ＵＥの全体または一部として実装され得る。データ伝送機器は、受信ユニット１０１０および実行ユニット１０２０を備え得る。
【０１６５】
受信ユニット１０１０は、段階５０５の機能を実装するよう構成される。
【０１６６】
実行ユニット１０２０は、段階５０６の機能を実装するよう構成される。
【０１６７】
任意選択で、データ伝送機器は更に、段階５０１の機能を実装するよう構成される第１送信ユニットを備え得る。
【０１６８】
任意選択で、データ伝送機器は更に、ダウンリンクデータをＵＥへ送信するサービングセルを、複製操作を実行するためのサービングセルとして決定するよう構成される第１決定ユニットを備え得る。
【０１６９】
任意選択で、データ伝送機器は更に、ダウンリンクデータをＵＥへ送信する無線アクセス装置を、複製操作を実行するための無線アクセス装置として決定するよう構成される第２決定ユニットを備え得る。
【０１７０】
関連する詳細については、図５に説明されている方法の実施形態を参照されたい。
【０１７１】
受信ユニット１０１０は、ＵＥにおける送受信機によって実装され得て、実行ユニット１０２０、第１決定ユニットおよび第２決定ユニットは、ＵＥにおけるプロセッサによって実装され得ることに留意されたい。
【０１７２】
図１１は、本発明の実施形態に係るデータ伝送機器のブロック図である。データ伝送機器は、ソフトウェア、ハードウェア、または、ソフトウェアおよびハードウェアの組み合わせを使用することによって、マスタ無線アクセス装置の全体または一部として実装され得る。データ伝送機器は生成ユニット１１１０および送信ユニット１１２０を備え得る。
【０１７３】
生成ユニット１１１０は、段階５０３の機能を実装するよう構成される。
【０１７４】
送信ユニット１１２０は、段階５０４の機能を実装するよう構成される。
【０１７５】
任意選択で、データ伝送機器は更に、二次無線アクセス装置によって送信されたＳＲＢの設定情報を受信するよう構成される第１受信ユニットを備え得る。
【０１７６】
任意選択で、データ伝送機器は更に、段階５０２の機能を実装するよう構成される第２受信ユニットを備え得る。
【０１７７】
関連する詳細については、図５に説明される方法の実施形態を参照されたい。
【０１７８】
生成ユニット１１１０は、マスタ無線アクセス装置におけるプロセッサによって実装され得て、送信ユニット１１２０、第１受信ユニットおよび第２受信ユニットは、マスタ無線アクセス装置における送受信機によって実装され得ることに留意されたい。
【０１７９】
当業者であれば、本明細書において開示された実施形態で説明された例と組み合わせて、各ユニットおよび各アルゴリズムステップが、電子的ハードウェアまたはコンピュータソフトウェアと電子的ハードウェアとの組み合わせによって実装され得ることを認識するであろう。これらの機能がハードウェアで実行されるのか、またはソフトウェアで実行されるのかは、技術的解決法の特定の用途および設計制約条件によって決まる。
【０１８０】
当業者であれば明確に理解し得るように、説明を便利かつ簡潔にするために、上記の機器およびユニットの詳細な動作プロセスについては、上述した方法の実施形態における対応するプロセスを参照されたい。ここでは詳細を再度説明しない。
【０１８１】
本願において提供される実施形態において、開示された機器および方法は他の方式で実装され得ることを理解されたい。例えば、説明される機器の実施形態は例に過ぎない。例えば、ユニットの分割は、論理的な機能の分割に過ぎないことがあり得て、実際の実装においては、他の分割があり得る。例えば、複数のユニットもしくはコンポーネントが組み合わされても、または別のシステムに統合されてもよく、あるいは一部の機能が無視されてもまたは実行されなくてもよい。
【０１８２】
別個の部分として説明されたユニットは、物理的に分かれていてもいなくてもよく、ユニットとして表示された部分が物理的ユニットであってもなくてもよく、１か所に配置されてもよく、または複数のネットワークユニットに分散されてもよい。これらのユニットの一部またはすべてが、実際の要件に基づいて選択され、実施形態の解決法の目的を実現してよい。
【０１８３】
上記の説明は、本発明の単なる特定の実装に過ぎず、本発明の保護範囲を限定することを意図するものではない。本発明において開示された技術的範囲内において、当業者が容易に考え出すいかなる変形例または置換例も、本発明の保護範囲に含まれることになる。したがって、本発明の保護範囲は、特許請求の範囲に記載の保護範囲によって決まることになる。
【図１】
0006912118.tif 000004
【図２】
0006912118.tif 000005
【図３】
0006912118.tif 000006
【図４】
0006912118.tif 000007
【図５】
0006912118.tif 000008
【図６】
0006912118.tif 000009
【図７】
0006912118.tif 000010
【図８】
0006912118.tif 000011
【図９】
0006912118.tif 000012
【図１０】
0006912118.tif 000013
【図１１】
0006912118.tif 000014